(57)【特許請求の範囲】
【請求項１】
ユーザ機器（ＵＥ）によるワイヤレス通信のための方法であって、前記方法が、
チャネル状態情報（ＣＳＩ）フィードバック報告についての要求を備える参照サブフレームを受信することと、
前記参照サブフレームに少なくとも基づいて、フィードバック報告のために、ＣＳＩ基準信号（ＣＳＩ−ＲＳ）ポートの複数のセットから、特定のサブフレームのＣＳＩ−ＲＳポートの少なくとも１つのセットを判断および識別することと、ＣＳＩ−ＲＳポートの各セットは、異なる送信ポイントのアンテナに対応するＣＳＩ−ＲＳグループに対応する、
前記識別されたＣＳＩ−ＲＳポートに基づいて前記フィードバック報告を生成することと、
前記フィードバック報告を送信することと
を備える、方法。
【請求項２】
前記特定のサブフレームは、前記参照サブフレームとのマッピングに基づいて判断される第１のサブフレームである、請求項１に記載の方法。
【請求項３】
前記第１のサブフレームがＣＳＩ−ＲＳリソースを含んでいない場合、前記特定のサブフレームは、前記第１のサブフレームに先行する第２のサブフレームである、請求項２に記載の方法。
【請求項４】
前記第１のサブフレームが、前記参照サブフレームである、請求項３に記載の方法。
【請求項５】
前記ＣＳＩ−ＲＳポートが所定の数のＣＳＩ−ＲＳポートを備え、前記所定の数が前記ＵＥにシグナリングされる、請求項１に記載の方法。
【請求項６】
ＣＳＩ−ＲＳリソースがサブフレームセットとの１対１の関連付けを有し、
サブフレームセットは、前記参照サブフレームに少なくとも基づいて選択される、請求項１に記載の方法。
【請求項７】
前記サブフレームセットを示すビットマップを含むシグナリングを受信することをさらに備える、請求項６に記載の方法。
【請求項８】
前記ＣＳＩ−ＲＳポートが、単一のサブフレーム中に、複数のＣＳＩ−ＲＳポートを備える、請求項１に記載の方法。
【請求項９】
前記フィードバック報告が、前記単一のサブフレーム中のすべてに満たないＣＳＩ−ＲＳポートを有するＣＳＩ−ＲＳポートサブセットに基づく、請求項８に記載の方法。
【請求項１０】
前記ＣＳＩ−ＲＳポートサブセットを示すシグナリングを受信することをさらに備える、請求項９に記載の方法。
【請求項１１】
チャネル状態情報（ＣＳＩ）フィードバック報告についての要求を備える参照サブフレームを受信するように構成された受信機と、
前記参照サブフレームに少なくとも基づいて、フィードバック報告のために、ＣＳＩ基準信号（ＣＳＩ−ＲＳ）ポートの複数のセットから、特定のサブフレームのＣＳＩ−ＲＳポートの少なくとも１つのセットを判断および識別することと、ＣＳＩ−ＲＳポートの各セットは、異なる送信ポイントのアンテナに対応するＣＳＩ−ＲＳグループに対応する、
前記識別されたＣＳＩ−ＲＳポートに基づいて前記フィードバック報告を生成することと
を行うように構成された少なくとも１つのプロセッサと、
前記フィードバック報告を送信するように構成された送信機と
を備える、ワイヤレス通信のための装置。
【請求項１２】
前記特定のサブフレームは、前記参照サブフレームとのマッピングに基づいて判断される第１のサブフレームである、請求項１１に記載の装置。
【請求項１３】
前記第１のサブフレームがＣＳＩ−ＲＳリソースを含んでいない場合、前記特定のサブフレームは、前記第１のサブフレームに先行する第２のサブフレームである、請求項１２に記載の装置。
【請求項１４】
前記第１のサブフレームが、前記参照サブフレームである、請求項１３に記載の装置。
【請求項１５】
前記ＣＳＩ−ＲＳポートが所定の数のＣＳＩ−ＲＳポートを備え、前記所定の数が前記ＵＥにシグナリングされる、請求項１１に記載の装置。
【請求項１６】
ＣＳＩ−ＲＳリソースがサブフレームセットとの１対１の関連付けを有し、
サブフレームセットは、前記参照サブフレームに少なくとも基づいて選択される、請求項１１に記載の装置。
【請求項１７】
前記受信機が、前記サブフレームセットを示すビットマップを含むシグナリングを受信するようにさらに構成された、請求項１６に記載の装置。
【請求項１８】
前記ＣＳＩ−ＲＳポートが、単一のサブフレーム中に、複数のＣＳＩ−ＲＳポートを備える、請求項１１に記載の装置。
【請求項１９】
前記フィードバック報告が、前記単一のサブフレーム中のすべてに満たないＣＳＩ−ＲＳポートを有するＣＳＩ−ＲＳポートサブセットに基づく、請求項１８に記載の装置。
【請求項２０】
前記受信機が、前記ＣＳＩ−ＲＳポートサブセットを示すシグナリングを受信するようにさらに構成された、請求項１９に記載の装置。
【請求項２１】
チャネル状態情報（ＣＳＩ）フィードバック報告についての要求を備える参照サブフレームを受信するための手段と、
前記参照サブフレームに少なくとも基づいて、フィードバック報告のために、ＣＳＩ基準信号（ＣＳＩ−ＲＳ）ポートの複数のセットから、特定のサブフレームのＣＳＩ−ＲＳポートの少なくとも１つのセットを判断および識別するための手段と、ＣＳＩ−ＲＳポートの各セットは、異なる送信ポイントのアンテナに対応するＣＳＩ−ＲＳグループに対応する、
前記識別されたＣＳＩ−ＲＳポートに基づいて前記フィードバック報告を生成するための手段と、
前記フィードバック報告を送信するための手段と
を備える、ワイヤレス通信のための装置。
【請求項２２】
前記特定のサブフレームは、前記参照サブフレームとのマッピングに基づいて判断される第１のサブフレームである、請求項２１に記載の装置。
【請求項２３】
前記第１のサブフレームがＣＳＩ−ＲＳリソースを含んでいない場合、前記特定のサブフレームは、前記第１のサブフレームに先行する第２のサブフレームである、請求項２２に記載の装置。
【請求項２４】
前記第１のサブフレームが、前記参照サブフレームである、請求項２３に記載の装置。
【請求項２５】
チャネル状態情報（ＣＳＩ）フィードバック報告についての要求を備える参照サブフレームを受信することと、
前記参照サブフレームに少なくとも基づいて、フィードバック報告のために、ＣＳＩ基準信号（ＣＳＩ−ＲＳ）ポートの複数のセットから、特定のサブフレームのＣＳＩ−ＲＳポートの少なくとも１つのセットを判断および識別することと、ＣＳＩ−ＲＳポートの各セットは、異なる送信ポイントのアンテナに対応するＣＳＩ−ＲＳグループに対応する、
前記識別されたＣＳＩ−ＲＳポートに基づいて前記フィードバック報告を生成することと、
前記フィードバック報告を送信することと
をコンピュータに行わせるためのコードを記憶しているコンピュータ可読記憶媒体。
【請求項２６】
基地局（ＢＳ）によるワイヤレス通信のための方法であって、前記方法が、
チャネル状態情報（ＣＳＩ）フィードバック報告要求を備える参照サブフレームに少なくとも基づいて、ＣＳＩ基準信号（ＣＳＩ−ＲＳ）ポートを前記ＣＳＩフィードバック報告要求と相関させるためのマップを判断することと、
フィードバック報告のために、ＣＳＩ基準信号（ＣＳＩ−ＲＳ）ポートの複数のセットから、特定のサブフレームのＣＳＩ−ＲＳポートの少なくとも１つのセットを判断することと、ＣＳＩ−ＲＳポートの各セットは、異なる送信ポイントのアンテナに対応するＣＳＩ−ＲＳグループに対応する、
ＣＳＩ−ＲＳポートの前記判断されたセットについてのＣＳＩフィードバック報告を要求するために、前記参照サブフレームを送信することと、
前記ＣＳＩフィードバック報告を受信することと
を備える、方法。
【請求項２７】
前記ＣＳＩ−ＲＳポートが、ＵＥへシグナリングされる所定の数のＣＳＩ−ＲＳポートを備える、請求項２６に記載の方法。
【請求項２８】
ＣＳＩ−ＲＳリソースがサブフレームセットとの１対１の関連付けを有し、
サブフレームセットは、前記参照サブフレームに少なくとも基づいて選択される、請求項２６に記載の方法。
【請求項２９】
前記サブフレームセットを示すビットマップを含むシグナリングを送信することをさらに備える、請求項２８に記載の方法。
【請求項３０】
前記ＣＳＩ−ＲＳポートが、単一のサブフレーム中に、複数のＣＳＩ−ＲＳポートを備える、請求項２６に記載の方法。
【請求項３１】
前記フィードバック報告が、前記単一のサブフレーム中のすべてに満たないＣＳＩ−ＲＳポートを有するＣＳＩ−ＲＳポートサブセットに基づく、請求項３０に記載の方法。
【請求項３２】
前記ＣＳＩ−ＲＳポートサブセットを示すシグナリングを送信することをさらに備える、請求項３１に記載の方法。
【請求項３３】
チャネル状態情報（ＣＳＩ）フィードバック報告要求を備える参照サブフレームに少なくとも基づいて、ＣＳＩ基準信号（ＣＳＩ−ＲＳ）ポートを前記ＣＳＩフィードバック報告要求と相関させるためのマップを判断することと、
フィードバック報告のために、ＣＳＩ基準信号（ＣＳＩ−ＲＳ）ポートの複数のセットから、特定のサブフレームのＣＳＩ−ＲＳポートの少なくとも１つのセットを判断することと、ＣＳＩ−ＲＳポートの各セットは、異なる送信ポイントのアンテナに対応するＣＳＩ−ＲＳグループに対応する、
を行うように構成された少なくとも１つのプロセッサと、
ＣＳＩ−ＲＳポートの前記判断されたセットについてのＣＳＩフィードバック報告を要求するために、前記参照サブフレームを送信するように構成された送信機と、
前記ＣＳＩフィードバック報告を受信するように構成された受信機と
を備える、ワイヤレス通信のための装置。
【請求項３４】
前記ＣＳＩ−ＲＳポートが、ＵＥへシグナリングされる所定の数のＣＳＩ−ＲＳポートを備える、請求項３３に記載の装置。
【請求項３５】
ＣＳＩ−ＲＳリソースがサブフレームセットとの１対１の関連付けを有し、
サブフレームセットは、前記参照サブフレームに少なくとも基づいて選択される、請求項３３に記載の装置。
【請求項３６】
前記送信機は、前記サブフレームセットを示すビットマップを含むシグナリングを送信するようにさらに構成された、請求項３５に記載の装置。
【請求項３７】
前記ＣＳＩ−ＲＳポートが、単一のサブフレーム中に、複数のＣＳＩ−ＲＳポートを備える、請求項３３に記載の装置。
【請求項３８】
前記フィードバック報告が、前記単一のサブフレーム中のすべてに満たないＣＳＩ−ＲＳポートを有するＣＳＩ−ＲＳポートサブセットに基づく、請求項３７に記載の装置。
【請求項３９】
前記送信機は、前記ＣＳＩ−ＲＳポートサブセットを示すシグナリングを送信するようにさらに構成された、請求項３８に記載の装置。
【請求項４０】
チャネル状態情報（ＣＳＩ）フィードバック報告要求を備える参照サブフレームに少なくとも基づいて、ＣＳＩ基準信号（ＣＳＩ−ＲＳ）ポートを前記ＣＳＩフィードバック報告要求と相関させるためのマップを判断するための手段と、
フィードバック報告のために、ＣＳＩ基準信号（ＣＳＩ−ＲＳ）ポートの複数のセットから、特定のサブフレームのＣＳＩ−ＲＳポートの少なくとも１つのセットを判断するための手段と、ＣＳＩ−ＲＳポートの各セットは、異なる送信ポイントのアンテナに対応するＣＳＩ−ＲＳグループに対応する、
ＣＳＩ−ＲＳポートの前記判断されたセットについてのＣＳＩフィードバック報告を要求するために、前記参照サブフレームを送信するための手段と、
前記ＣＳＩフィードバック報告を受信するための手段と
を備える、ワイヤレス通信のための装置。
【請求項４１】
前記ＣＳＩ−ＲＳポートが、ＵＥへシグナリングされる所定の数のＣＳＩ−ＲＳポートを備える、請求項４０に記載の装置。
【請求項４２】
ＣＳＩ−ＲＳリソースがサブフレームセットとの１対１の関連付けを有し、
サブフレームセットは、前記参照サブフレームに少なくとも基づいて選択される、請求項４０に記載の装置。
【請求項４３】
前記サブフレームセットを示すビットマップを含むシグナリングを送信するための手段をさらに備える、請求項４２に記載の装置。
【請求項４４】
前記ＣＳＩ−ＲＳポートが、単一のサブフレーム中に、複数のＣＳＩ−ＲＳポートを備える、請求項４０に記載の装置。
【請求項４５】
前記フィードバック報告が、前記単一のサブフレーム中のすべてに満たないＣＳＩ−ＲＳポートを有するＣＳＩ−ＲＳポートサブセットに基づく、請求項４４に記載の装置。
【請求項４６】
前記ＣＳＩ−ＲＳポートサブセットを示すシグナリングを送信するための手段をさらに備える、請求項４５に記載の装置。
【請求項４７】
チャネル状態情報（ＣＳＩ）フィードバック報告要求を備える参照サブフレームに少なくとも基づいて、ＣＳＩ基準信号（ＣＳＩ−ＲＳ）ポートを前記ＣＳＩフィードバック報告要求と相関させるためのマップを判断することと、
フィードバック報告のために、ＣＳＩ基準信号（ＣＳＩ−ＲＳ）ポートの複数のセットから、特定のサブフレームのＣＳＩ−ＲＳポートの少なくとも１つのセットを判断することと、ＣＳＩ−ＲＳポートの各セットは、異なる送信ポイントのアンテナに対応するＣＳＩ−ＲＳグループに対応する、
ＣＳＩ−ＲＳポートの前記判断されたセットについてのＣＳＩフィードバック報告を要求するために、前記参照サブフレームを送信することと、
前記ＣＳＩフィードバック報告を受信することと
をコンピュータに行わせるためのコードを記憶しているコンピュータ可読記憶媒体。
【発明の詳細な説明】
【技術分野】
【０００１】
関連出願の相互参照
本出願は、そのすべてが、すべての目的のためにそれらの全体が参照により本明細書に組み込まれる、２０１１年２月１８日に出願された「Feedback Reporting Based on CSI-RS Groups」と題する米国仮特許出願第６１／４４４，５６８号と、２０１１年２月２１日に出願された「Feedback Reporting Based on CSI-RS Groups」と題する米国仮特許出願第６１／４４４，９７９号と、２０１１年８月１６日に出願された「Feedback Reporting Based on CSI-RS Groups」と題する米国仮特許出願第６１／５２４，０３４号との利益を主張する、２０１２年１月２６日に出願された「Feedback Reporting Based on Channel State Information Reference Signal (CSI-RS) Groups」と題する米国特許出願第１３／３５９，１５４号の一部継続出願である。
【０００２】
本開示は、一般に通信システムに関し、より詳細には、非周期チャネル状態情報（Ａ−ＣＳＩ：aperiodic channel state information）報告をＣＳＩ基準信号（ＣＳＩ−ＲＳ：CSI-reference signal）リソースに暗黙的にリンクすることに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
ＬＴＥ  ＲＥＬ−１０では、非零電力を用いたただ１つのＣＳＩ−ＲＳ構成があるので、ＣＳＩ−ＲＳ報告に関してあいまいさは存在せず、したがって、ＵＥが、ＣＳＩ−ＲＳ構成を見、構成されたリソースと整合されたＣＳＩを返報し得る。しかしながら、ＬＴＥ  ＲＥＬ−１１では、複数の非零電力ＣＳＩ−ＲＳリソース（またはグループ）を構成することが可能であり得る。現在、規格は、ＵＥがフィードバック報告のためのＣＳＩ−ＲＳリソースをどのように選択し得るかを検討していない。一態様では、ＵＥには、ＵＥ許可（UE grant）中に明示的シグナリングを含めることによって、その上でＵＥが報告すべきである特定の（１つまたは複数の）ＣＳＩ−ＲＳリソースが示され得る。しかしながら、これは、そのような明示的シグナリングのために、追加のリソース（たとえばビット）がＵＥ許可中で割り振られる必要があり得るので、有意なリソース影響を含み得る。したがって、有意なリソース影響を含まない、ＵＥによる、ＣＳＩ−ＲＳリソース選択のための技法が必要である。いくつかの態様では、ＵＥがＣＳＩフィードバック報告のためにどのＣＳＩ−ＲＳリソースを選択し得るかをＵＥに明示的にシグナリングする代わりに、ＵＥは、ＵＥがすでに所有する何らかの情報、たとえば、どのサブフレームで報告要求が受信されたかに基づいて暗黙的にトリガされ得る。これは、ＵＥ許可中でＣＳＩ−ＲＳリソースをシグナリングするための追加のビットを節約し、それにより、シグナリング影響を回避し得る。いくつかの態様では、ＵＥは、フィードバック報告についての要求が受信されたサブフレームに基づいてフィードバック報告のためのＣＳＩ−ＲＳリソースを判断し得る。
【０００６】
本開示のいくつかの態様は、ＵＥによって実行され得るワイヤレス通信のための方法を与える。本方法は、概して、チャネル状態情報（ＣＳＩ）フィードバック報告についての要求を受信することと、要求が受信された時間に少なくとも部分的に基づいて、フィードバック報告のための１つまたは複数の基準ＣＳＩ基準信号（ＣＳＩ−ＲＳ）リソースのセットを判断することと、１つまたは複数の基準ＣＳＩ−ＲＳリソースのセットに基づいてフィードバック報告を生成することと、フィードバック報告を送信することとを含む。
【０００７】
本開示のいくつかの態様は、ワイヤレス通信のための装置を提供する。本装置は、概して、チャネル状態情報（ＣＳＩ）フィードバック報告についての要求を受信するように構成された受信機と、要求が受信された時間に少なくとも部分的に基づいて、フィードバック報告のための１つまたは複数の基準ＣＳＩ基準信号（ＣＳＩ−ＲＳ）リソースのセットを判断することと、１つまたは複数の基準ＣＳＩ−ＲＳリソースのセットに基づいてフィードバック報告を生成することとを行うように構成された少なくとも１つのプロセッサと、フィードバック報告を送信するように構成された送信機とを含む。
【０００８】
本開示のいくつかの態様は、ワイヤレス通信のための装置を提供する。本装置は、概して、チャネル状態情報（ＣＳＩ）フィードバック報告についての要求を受信するための手段と、要求が受信された時間に少なくとも部分的に基づいて、フィードバック報告のための１つまたは複数の基準ＣＳＩ基準信号（ＣＳＩ−ＲＳ）リソースのセットを判断するための手段と、１つまたは複数の基準ＣＳＩ−ＲＳリソースのセットに基づいてフィードバック報告を生成するための手段と、フィードバック報告を送信するための手段とを含む。
【０００９】
本開示のいくつかの態様は、ワイヤレス通信のためのコンピュータプログラム製品を提供する。本コンピュータプログラム製品は、概して、チャネル状態情報（ＣＳＩ）フィードバック報告についての要求を受信することと、要求が受信された時間に少なくとも部分的に基づいて、フィードバック報告のための１つまたは複数の基準ＣＳＩ基準信号（ＣＳＩ−ＲＳ）リソースのセットを判断することと、１つまたは複数の基準ＣＳＩ−ＲＳリソースのセットに基づいてフィードバック報告を生成することと、フィードバック報告を送信することとを行うためのコードを備えるコンピュータ可読媒体を含む。
【００１０】
本開示のいくつかの態様は、基地局によって実行され得るワイヤレス通信のための方法を与える。本方法は、概して、チャネル状態情報（ＣＳＩ）フィードバック報告要求のタイミングに少なくとも部分的に基づいて、ＣＳＩ基準信号（ＣＳＩ−ＲＳ）リソースをその要求と相関させるマップを判断することと、フィードバック報告のための１つまたは複数の基準ＣＳＩ−ＲＳリソースのセットを判断することと、ある時間への１つまたは複数の基準ＣＳＩ−ＲＳリソースのセットのマッピングに少なくとも部分的に基づいて、その時間にＣＳＩフィードバック報告についての要求を送信することと、１つまたは複数の基準ＣＳＩ−ＲＳリソースのセットに基づいてフィードバック報告を受信することとを含む。
【００１１】
本開示のいくつかの態様は、ワイヤレス通信のための装置を提供する。本装置は、概して、チャネル状態情報（ＣＳＩ）フィードバック報告要求のタイミングに少なくとも部分的に基づいて、ＣＳＩ基準信号（ＣＳＩ−ＲＳ）リソースをその要求と相関させるマップを判断することと、フィードバック報告のための１つまたは複数の基準ＣＳＩ−ＲＳリソースのセットを判断することとを行うように構成された少なくとも１つのプロセッサを含む。本装置はさらに、ある時間への１つまたは複数の基準ＣＳＩ−ＲＳリソースのセットのマッピングに少なくとも部分的に基づいて、その時間にＣＳＩフィードバック報告についての要求を送信するように構成された送信機と、１つまたは複数の基準ＣＳＩ−ＲＳリソースのセットに基づいてフィードバック報告を受信するように構成された受信機とを含む。
【００１２】
本開示のいくつかの態様は、ワイヤレス通信のための装置を提供する。本装置は、概して、チャネル状態情報（ＣＳＩ）フィードバック報告要求のタイミングに少なくとも部分的に基づいて、ＣＳＩ基準信号（ＣＳＩ−ＲＳ）リソースをその要求と相関させるマップを判断するための手段と、フィードバック報告のための１つまたは複数の基準ＣＳＩ−ＲＳリソースのセットを判断するための手段と、ある時間への１つまたは複数の基準ＣＳＩ−ＲＳリソースのセットのマッピングに少なくとも部分的に基づいて、その時間にＣＳＩフィードバック報告についての要求を送信するための手段と、１つまたは複数の基準ＣＳＩ−ＲＳリソースのセットに基づいてフィードバック報告を受信するための手段とを含む。
【００１３】
本開示のいくつかの態様は、ワイヤレス通信のためのコンピュータプログラム製品を含む。本コンピュータプログラム製品は、概して、チャネル状態情報（ＣＳＩ）フィードバック報告要求のタイミングに少なくとも部分的に基づいて、ＣＳＩ基準信号（ＣＳＩ−ＲＳ）リソースをその要求と相関させるマップを判断することと、フィードバック報告のための１つまたは複数の基準ＣＳＩ−ＲＳリソースのセットを判断することと、ある時間への１つまたは複数の基準ＣＳＩ−ＲＳリソースのセットのマッピングに少なくとも部分的に基づいて、その時間にＣＳＩフィードバック報告についての要求を送信することと、１つまたは複数の基準ＣＳＩ−ＲＳリソースのセットに基づいてフィードバック報告を受信することとを行うためのコードを概して含むコンピュータ可読媒体を含む。
【図面の簡単な説明】
【００１４】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】異種ネットワーク中の範囲拡張されたセルラー領域を示す図。
【図８】本開示のいくつかの態様による、マクロｅＮＢとリモートラジオヘッド（ＲＲＨ：remote radio head）とをもつネットワークを示す図。
【図９】本開示のいくつかの態様による、異なるセルに対応するＣＳＩ−ＲＳグループを示す図。
【図１０】本開示のいくつかの態様による、複数のセル／ＴｘＰが１つのグループを形成するＣＳＩ−ＲＳグループを示す図。
【図１１】本開示のいくつかの態様による、２つの次元における、すなわち最初にＣＳＩ−ＲＳグループ上での、次いで帯域幅パート（ＢＷＰ）上でのあらかじめ定義された循環を示す図。
【図１２】本開示のいくつかの態様による、２つの次元における、すなわち最初にＢＷＰ上での、次いでＣＳＩ−ＲＳグループ上でのあらかじめ定義された循環を示す図。
【図１３】本開示のいくつかの態様による、たとえば、送信機によって実行される例示的な動作を示す図。
【図１３Ａ】本開示のいくつかの態様による、図１３に示す動作を実行することが可能な例示的な構成要素を示す図。
【図１４】本開示のいくつかの態様による、たとえば、ＵＥによって実行される例示的な動作を示す図。
【図１４Ａ】本開示のいくつかの態様による、図１４に示す動作を実行することが可能な例示的な構成要素を示す図。
【図１５】本開示のいくつかの態様による、処理システムを採用する装置のためのハードウェア実装形態の一例を示す図。
【図１６】本開示のいくつかの態様による、単一のサブフレーム中の３つのＣＳＩ−ＲＳリソースの例示的な構成を示す図。
【図１７】本開示のいくつかの態様による、暗黙的トリガリングＣＳＩ報告のために、たとえば、ユーザ機器（ＵＥ）によって実行される例示的な動作を示す図。
【図１７Ａ】本開示のいくつかの態様による、図１７に示す動作を実行することが可能な例示的な構成要素を示す図。
【図１８】本開示のいくつかの態様による、処理システムを採用する装置のためのハードウェア実装形態の一例を示す図。
【図１９】本開示のいくつかの態様による、たとえば、基地局によって実行される例示的な動作を示す図。
【図１９Ａ】本開示のいくつかの態様による、図１９に示す動作を実行することが可能な例示的な構成要素を示す図。
【図２０】本開示のいくつかの態様による、処理システムを採用する装置のためのハードウェア実装形態の一例を示す図。
【発明を実施するための形態】
【００１５】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１６】
次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１７】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に常駐し得る。コンピュータ可読媒体は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体は、処理システムの内部に常駐するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含み得る。当業者なら、特定の適用例および全体的なシステムに課せられた全体的な設計制約に応じて、本開示全体にわたって提示される記載の機能をどのようにしたら最も良く実装することができるかを認識されよう。
【００１８】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１９】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２０】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６はまた、基地局、送受信基地局、無線基地局、無線送受信機、送受信機機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２１】
ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ）と、ＰＳストリーミングサービス（ＰＳＳ）とを含み得る。
【００２２】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２３】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになる。
【００２４】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２５】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２６】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２７】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００２８】
図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２９】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３０】
初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３１】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３２】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３３】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３４】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３５】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３６】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３７】
ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３８】
コントローラ／プロセッサ６５９はＬ２レイヤを実装する。コントローラ／プロセッサは、プログラムコードとデータとを記憶するメモリ６６０に関連し得る。メモリ６６０は、コンピュータ可読媒体と呼ばれることがある。コントローラ／プロセッサ６５９は、コアネットワークからの上位レイヤパケットを復元するために、トランスポートチャネルと論理チャネルとの間での多重分離と、パケット再統合と、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３９】
ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４０】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４１】
ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４２】
コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４３】
図７は、異種ネットワーク中の範囲拡張されたセルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とによってセルラー領域７０２から拡張された範囲拡張セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡張されたセルラー領域７０３中のＵＥ７２０をサービスし、ＵＥ７２０が、範囲拡張されたセルラー領域７０３に入るとき、マクロｅＮＢ７１０ａからのＵＥ７２０のハンドオフを受け入れることが可能になる。
【００４４】
図８は、本開示のいくつかの態様による、マクロノードといくつかのリモートラジオヘッド（ＲＲＨ）とを含むネットワーク８００を示す図である。マクロノード８０２は、光ファイバーでＲＲＨ８０４、８０６、８０８、８１０に接続されている。いくつかの態様では、ネットワーク８００は、同種ネットワークまたは異種ネットワークであり得、ＲＲＨ８０４〜８１０は、低電力ＲＲＨまたは高電力ＲＲＨであり得る。一態様では、マクロノード８０２は、それ自体およびＲＲＨについてのセル内でのすべてのスケジューリングを扱う。ＲＲＨは、マクロノード８０２と同じセル識別子（ＩＤ）で構成されるか、または異なるセルＩＤで構成され得る。ＲＲＨが同じセルＩＤで構成された場合、マクロノード８０２およびＲＲＨは、マクロノード８０２によって制御される本質的に１つのセルとして動作し得る。一方、ＲＲＨおよびマクロノード８０２が異なるセルＩＤで構成された場合、マクロノード８０２およびＲＲＨは、ＵＥには異なるセルのように見え得るが、すべての制御権およびスケジューリングは、依然としてマクロノード８０２にとどまり得る。マクロノード８０２とＲＲＨ８０４、８０６、８０８、８１０とのための処理は、必ずしもマクロノードに常駐しなければならないとは限らないことをさらに諒解されたい。それはまた、マクロおよびＲＲＨと接続された何らかの他のネットワークデバイスまたはエンティティにおいて、集中型方式で実行され得る。
【００４５】
いくつかの態様では、送信／受信ポイント（「ＴｘＰ」）という用語は、一般に、同じまたは異なるセルＩＤを有し得る、少なくとも１つの中央エンティティ（たとえば、ｅノードＢ）によって制御される、地理的に分離された送信／受信ノードを表す。
【００４６】
いくつかの態様では、ＲＲＨの各々がマクロノード８０２と同じセルＩＤを共有するとき、制御情報は、マクロノード８０２、またはマクロノード８０２とすべてのＲＲＨの両方からのＣＲＳを使用して送信され得る。ＣＲＳは、一般に、同じリソース要素を使用して送信ポイントの各々から送信され、したがって、信号は衝突する。送信ポイントの各々が同じセルＩＤを有するとき、送信ポイントの各々から送信されるＣＲＳは区別されないことがある。いくつかの態様では、ＲＲＨが異なるセルＩＤを有するとき、同じリソース要素を使用してＴｘＰの各々から送信されるＣＲＳは、衝突することもしないこともある。その場合でも、ＲＲＨが異なるセルＩＤを有し、ＣＲＳが衝突するとき、高度ＵＥは、干渉消去技法および高度受信機処理を使用してＴｘＰの各々から送信されるＣＲＳを区別し得る。
【００４７】
いくつかの態様では、すべての送信ポイントが同じセルＩＤで構成され、ＣＲＳがすべての送信ポイントから送信されるとき、送信マクロノードおよび／またはＲＲＨにおいて等しくない数の物理アンテナがある場合に適切なアンテナ仮想化が必要とされる。すなわち、ＣＲＳは、等しい数のＣＲＳアンテナポートを用いて送信されるべきである。たとえば、ノード８０２およびＲＲＨ８０４、８０６、８０８が、それぞれ４つの物理アンテナを有し、ＲＲＨ８１０が２つの物理アンテナを有する場合、ＲＲＨ８１０の第１のアンテナは、２つのＣＲＳポートを使用して送信するように構成され得、ＲＲＨ８１０の第２のアンテナは、異なる２つのＣＲＳポートを使用して送信するように構成さ得る。代替的に、同じ展開の場合、マクロ８０２およびＲＲＨ８０４、８０６、８０８は、送信ポイントごとに４つの送信アンテナの中から選択された２つから２つのＣＲＳアンテナポートのみを送信し得る。これらの例に基づいて、アンテナポートの数が物理アンテナの数に対して増加または減少させられ得ることを諒解されたい。
【００４８】
上記で説明したように、すべての送信ポイントが同じセルＩＤで構成されたとき、マクロノード８０２およびＲＲＨ８０４〜８１０は、すべて、ＣＲＳを送信し得る。しかしながら、マクロノード８０２のみがＣＲＳを送信した場合、自動利得制御（ＡＧＣ）問題のためにＲＲＨの近くにアウテージが生じ得る。そのようなシナリオでは、マクロ８０２からのＣＲＳベースの送信は、低受信電力で受信され得るが、すぐ近くのＲＲＨから発信した他の送信は、はるかに大きい電力で受信され得る。この電力不平衡は、上述のＡＧＣ問題につながり得る。
【００４９】
要約すれば、一般に、同じセルＩＤセットアップ／異なるセルＩＤセットアップの間の差は、制御およびレガシー問題と、ＣＲＳに依拠する他の潜在的な動作とに関係する。異なるセルＩＤを用いるが衝突するＣＲＳ構成のシナリオは、定義によれば衝突するＣＲＳを有する同じセルＩＤセットアップとの類似度を有し得る。異なるセルＩＤを用い、衝突するＣＲＳのシナリオは、一般に、同じセルＩＤの場合と比較して、セルＩＤ（たとえば、スクランブリングシーケンスなど）に依存するシステム特性／構成要素がより容易に区別され得るという利点を有する。
【００５０】
例示的な構成は、同じセルＩＤまたは異なるセルＩＤをもつマクロ／ＲＲＨセットアップに適用可能である。異なるセルＩＤの場合、ＣＲＳは、衝突しているように構成され得、それは、同じセルＩＤの場合と同様のシナリオにつながり得るが、セルＩＤ（たとえば、スクランブリングシーケンスなど）に依存するシステム特性が、ＵＥによってより容易に区別され得るという利点を有する。
【００５１】
いくつかの態様では、例示的なマクロ／ＲＲＨエンティティは、このマクロ／ＲＲＨセットアップの送信ポイント内の制御／データ送信の分離を行い得る。セルＩＤが各送信ポイントについて同じであるとき、ＰＤＣＣＨは、マクロノード８０２から、またはマクロノード８０２とＲＲＨ８０４〜８１０の両方からＣＲＳとともに送信され得るが、ＰＤＳＣＨは、送信ポイントのサブセットからのＣＳＩ−ＲＳとＤＭ−ＲＳとともに送信され得る。セルＩＤが送信ポイントの一部について異なるとき、ＰＤＣＣＨは各セルＩＤグループでＣＲＳとともに送信され得る。各セルＩＤグループから送信されたＣＲＳは、衝突することもしないこともある。ＵＥは、同じセルＩＤをもつ複数の送信ポイントから送信されたＣＲＳを区別しないことがあるが、（たとえば、干渉消去または同様の技法を使用して）異なるセルＩＤをもつ複数の送信ポイントから送信されたＣＲＳを区別し得る。
【００５２】
いくつかの態様では、すべての送信ポイントが同じセルＩＤで構成された場合、制御／データ送信の分離は、すべての送信ポイントからのＣＲＳ送信に基づいて制御を送信しながら、ＵＥをデータ送信のための少なくとも１つの送信ポイントに関連付ける、ＵＥ透過的方法（UE transparent way）を可能にする。これは、共通の制御チャネルを残しながら、異なる送信ポイントにわたるデータ送信のためのセル分割を可能にする。上記の「関連付け」という用語は、データ送信のための特定のＵＥについてのアンテナポートの構成を意味する。これは、ハンドオーバのコンテキストで実行されるであろう関連付けとは異なる。制御は、上記で説明したようにＣＲＳに基づいて送信され得る。制御およびデータを分離することは、ハンドオーバプロセスを通過しなければならないことと比較して、ＵＥのデータ送信のために使用されるアンテナポートのより速い再構成を可能にし得る。いくつかの態様では、異なる送信ポイントの物理アンテナに対応するようにＵＥのアンテナポートを構成することによって、相互送信ポイントフィードバックが可能であり得る。
【００５３】
いくつかの態様では、ＵＥ固有基準信号は（たとえば、ＬＴＥ−Ａ、Ｒｅｌ−１０および上記のコンテキストにおける）この動作を可能にする。ＣＳＩ−ＲＳおよびＤＭ−ＲＳは、ＬＴＥ−Ａコンテキストで使用される基準信号である。干渉推定が、ＣＳＩ−ＲＳミュートに基づいて行われ得るか、またはＣＳＩ−ＲＳミュートによって可能にされ得る。制御チャネルが、同じセルＩＤセットアップの場合にすべての送信ポイントに共通であるとき、ＰＤＣＣＨ容量が制限され得るので、制御容量問題があり得る。制御容量は、ＦＤＭ制御チャネルを使用することによって拡大され得る。リレーＰＤＣＣＨ（Ｒ−ＰＤＣＣＨ）、または拡張ＰＤＣＣＨ（ｅＰＤＣＣＨ）などのそれの拡張は、ＰＤＣＣＨ制御チャネルを補足、増補、または交換するために使用され得る。
【００５４】
ＣＳＩ−ＲＳグループ定義
概して、マクロノード８０２およびＲＲＨには、ＣＳＩ−ＲＳポートのサブセットが割り当てられ得る。たとえば、８つの利用可能なＣＳＩ−ＲＳポートがある場合、マクロ８０２は、ＣＳＩ−ＲＳポート０、１上で送信するように割り当てられ得、ＲＲＨ８０４は、ＣＳＩ−ＲＳポート２、３上で送信するように割り当てられ得、ＲＲＨ８０６は、ＣＳＩ−ＲＳポート４、５上で送信するように割り当てられ得、ＲＲＨ８０８は、ＣＳＩ−ＲＳポート６、７上で送信するように割り当てられ得、ＲＲＨ８１０は、どのＣＳＩ−ＲＳポートも割り当てられないことがある。
【００５５】
代替的に、マクロノード８０２および／またはＲＲＨには、同じＣＳＩ−ＲＳポートが割り当てられ得る。たとえば、マクロ８０２、ＲＲＨ８０４およびＲＲＨ８０８は、ＣＳＩ−ＲＳポート０、１、２、３上で送信するように割り当てられ得、ＲＲＨ８０６およびＲＲＨ８１０は、ＣＳＩ−ＲＳポート４、５、６、および７上で送信するように割り当てられ得る。そのような構成では、マクロ８０２ならびにＲＲＨ８０４、８０８からのＣＳＩ−ＲＳは重複することになり、ＲＲＨ８０６、８１０からのＣＳＩ−ＲＳは重複することになる。
【００５６】
ＬＴＥ  Ｒｅｌ−１０では、ＣＳＩ−ＲＳは、チャネルフィードバック報告を可能にするために導入されており、１つ、２つ、４つ、または８つのＣＳＩ−ＲＳポートのいずれかが非零電力伝送のために構成され得る。上記で説明した概念はＲｅｌ−１０  ＣＳＩ−ＲＳを利用し得るが、将来のリリース、または関係する送信システムにおいて、さらなる拡張が可能である。たとえば、一態様では、構成可能なＣＳＩ−ＲＳポートの数は増加させられ得、それにより、ＣＳＩ−ＲＳポートを構成する際のより多くのフレキシビリティが可能になる。
【００５７】
一態様では、ＣＳＩ−ＲＳグループの概念が考慮される。ＣＳＩ−ＲＳグループは、ＣＳＩ−ＲＳ構成、ＣＳＩフィードバック報告、またはＣＳＩ−ＲＳに基づく任意の他の態様を可能にするために一緒にグループ化されるＣＳＩ−ＲＳポートのセットとして定義され得る。前の例と同様に、合計１０個のＣＳＩ−ＲＳポートがある場合を考える。マクロ８０２はＣＳＩ−ＲＳポート０、１で構成され得、ＲＲＨ８０４にはＣＳＩ−ＲＳポート２、３が割り当てられ得、ＲＲＨ８０６にはＣＳＩ−ＲＳポート４、５が割り当てられ得、ＲＲＨ８０８にはＣＳＩ−ＲＳポート６、７が割り当てられ得、ＲＲＨ８１０にはＣＳＩ−ＲＳポート８、９が割り当てられ得る。各送信ポイントに割り当てられるＣＳＩ−ＲＳポートはグループ化され得、すなわち、ＣＳＩ−ＲＳポート０、１がＣＳＩ−ＲＳグループ０を形成することになり、ＣＳＩ−ＲＳポート２、３がグループ１を形成することになり、以下同様である。このようにして、各送信ポイントは、実際の重要性の一実施形態であり得るＣＳＩ−ＲＳグループに関連付けられ得る。しかしながら、上記に言及したように、ＣＳＩ−ＲＳグループは、単一の送信ポイントのアンテナに制限される必要はなく、代わりに、それらは、複数の送信ポイントにわたり得る。
【００５８】
一態様では、ＣＳＩ−ＲＳポートは、上記の例で行われるように連続的に列挙され得る。しかしながら、そのような番号付け定義は、本明細書で説明する手順にとって本質的でない。代替的に、グルーピングは、ＣＳＩ−ＲＳグループを構成し、０から開始する各グループ内でＣＳＩ−ＲＳポートを列挙することによって記述され得る。さらに、ＣＳＩ−ＲＳグループは、ＣＳＩ−ＲＳリソースまたはＣＳＩ−ＲＳパターンと呼ばれることもある。
【００５９】
別の態様では、ＣＳＩ−ＲＳグループは、異なるパラメータ、たとえば、周期性、電力レベル、または同様の態様を用いて送信され得る。そのようなパラメータは、特定のＣＳＩ−ＲＳグループのＣＳＩ−ＲＳポートの間で共通であり得るか、またはＣＳＩ−ＲＳグループごとにＵＥに通信され得る。
【００６０】
ＣＳＩ−ＲＳ構成は、ＵＥ固有であり得る。各ＵＥは、所定の数までのＣＳＩ−ＲＳポート（たとえば、８つのＣＳＩ−ＲＳポート）および／または所定の数のＣＳＩ−ＲＳグループで構成され得る。ＵＥは、マクロおよびＲＲＨノードを含むがそれらに限定されない異なる送信ポイントからのＣＳＩ−ＲＳ送信をさらに受信し得る。たとえば、ＵＥ８２０は、マクロ８０２からＣＳＩ−ＲＳポート０、１上でＣＳＩ−ＲＳを受信し、ＲＲＨ８０４からＣＳＩ−ＲＳポート２、３上でＣＳＩ−ＲＳを受信し、ＲＲＨ８０６からＣＳＩ−ＲＳポート４、５上でＣＳＩ−ＲＳを受信し、ＲＲＨ８０８からＣＳＩ−ＲＳポート６、７上でＣＳＩ−ＲＳを受信し得る。そのような構成は、一般にＵＥ８２０に固有である。たとえば、ＵＥ８２２はまた、８つのＣＳＩ−ＲＳポートで構成され、ＲＲＨ８０８からＣＳＩ−ＲＳポート０、１上でＣＳＩ−ＲＳを受信し、ＲＲＨ８１０からＣＳＩ−ＲＳポート２、３上でＣＳＩ−ＲＳを受信し、ＲＲＨ８０４からＣＳＩ−ＲＳポート４、５上でＣＳＩ−ＲＳを受信し、ＲＲＨ８０６からＣＳＩ−ＲＳポート６、７上でＣＳＩ−ＲＳを受信し得る。概して、特定のＵＥの場合、ＣＳＩ−ＲＳポートはＲＲＨ間で分配され得、特定のＵＥは、任意の数のＣＳＩ−ＲＳポート上で特定のＵＥに送るように構成されたＲＲＨからそれらのポート上でＣＳＩ−ＲＳを受信するようにそれらのポートで構成され得る。上記で説明した概念は、この例で使用された特定の番号付け方式を越えることを諒解されたい。ＣＳＩ−ＲＳグループの概念は、両方の番号付け定義にわたる。
【００６１】
上記で説明したように、ＵＥは、ＣＳＩ−ＲＳ送信を受信し得、これらのＣＳＩ−ＲＳに少なくとも部分的に基づいてＣＳＩフィードバックを与え得る。問題は、ＬＴＥ  Ｒｅｌｅａｓｅ  １０および前のリリースのコードブックが、ＣＳＩ−ＲＳポートの各々についての経路損失が等しいと仮定して設計されており、したがって、この条件が満たされない場合、何らかの性能損失を被り得ることである。複数のＲＲＨがＣＳＩ−ＲＳを用いてデータを送信していることがあるので、ＣＳＩ−ＲＳの各々に関連付けられた経路損失は異なり得る。したがって、ＴｘＰに固有の経路損失を考慮に入れる相互送信ポイントＣＳＩフィードバックを可能にするために、コードブックの改良が必要とされ得る。複数のＣＳＩフィードバックは、アンテナポートをグループ化し、グループごとにフィードバックを与えることによって与えられ得る。
【００６２】
ＵＥは、ＰＭＩ／ＲＩ／ＣＱＩを含み得るそれのＣＳＩ−ＲＳ構成に基づいてＣＳＩフィードバックを与え得る。コードブック設計は、アンテナが地理的に分離されず、したがって、アンテナアレイからＵＥまで同じ経路損失があることを仮定し得る。これは、アンテナが無相関であり、異なるチャネルを見るような複数のＲＲＨについての場合でない。コードブックの改良は、より効率的な相互ＴｘＰ  ＣＳＩフィードバックを可能にし得る。ＣＳＩ推定は、異なるＴｘＰに関連付けられたアンテナポート間の経路損失差をキャプチャし得る。
【００６３】
送信ポイントのＣＳＩ−ＲＳベースの選択および報告
マクロ／ＲＲＨセットアップでは、ＣＳＩ−ＲＳおよびＤＭ−ＲＳは、制御およびデータ送信を分離するために使用され得る。データ送信（たとえば、ＬＴＥ  Ｒｅｌ  １０以降の場合）は、ＣＳＩ−ＲＳおよびＤＭ−ＲＳに基づき得るが、制御は、ＣＲＳを介して送信ポイントの、場合によっては異なるセットから受信され得る。旧来、データ送信のための送信ポイントの選択は、ＣＲＳを監視することに基づく。そのようなセットアップでは、ＣＳＩ−ＲＳ構成は、ＲＳＲＰ、ＲＳＲＱ、またはＣＲＳに基づく他のメトリックのＵＥ報告に従い得る。しかしながら、制御送信とデータ送信との分離のために、そのＣＲＳは、データ送信のための送信ポイントを選択するために利用可能でないことがある。したがって、データサービング送信ポイントのＣＲＳベースの構成の代替が必要である。
【００６４】
本開示のいくつかの態様は、（たとえば、ＬＴＥ  Ｒｅｌ−１１における）報告フレームワークを導入し、報告フレームワークでは、これは、ＣＳＩ−ＲＳに基づいて行われ得る。いくつかの態様では、ＣＳＩ−ＲＳグループの新しい概念、すなわち、ＵＥがＰＭＩ／ＣＱＩ／ＲＩ報告のための１つのグループと見なす、ＵＥのＣＳＩ−ＲＳポートのセットが定義され得る。詳細には、ＵＥは、それ自体で１つのグループと考え、ＵＥが特定のＣＳＩ−ＲＳグループ外のすべてのＣＳＩ−ＲＳを無視し得ることを除いて、（たとえば、ＴＭ９におけるＲｅｌ−１０  ＣＳＩ報告と同様の）報告を実行し得る。ＣＳＩ−ＲＳグループの報告／シグナリングおよび構成がどのように実行され得るかについての詳細について本明細書で説明する。本明細書で説明する概念は、同じまたは異なるセルＩＤを用いたマクロセットアップ／ＲＲＨセットアップの両方に適用可能であり得る。
【００６５】
ＣＳＩ−ＲＳグループの構成
図９は、本開示のいくつかの態様による、異なる送信ポイントに対応するＣＳＩ−ＲＳグループを示す図である。ネットワーク９００は、カバレージエリア９２０をもつマクロｅＮＢ９０２と、それぞれのカバレージエリア９１２、９１４、９１６および９１８をもつＲＲＨ９０４、９０６、９０８および９１０とを含む。いくつかの態様では、各ＣＳＩ−ＲＳグループは、異なるマクロ／ＲＲＨ送信ポイントのアンテナに対応し得る。たとえば、図９に示すように、ＣＳＩ−ＲＳグループ０はマクロｅＮＢ９０２に対応し、ＣＳＩ−ＲＳグループ１はＲＲＨ９０８に対応し、ＣＳＩ−ＲＳグループ２はＲＲＨ９０６に対応し、ＣＳＩ−ＲＳグループ３はＲＲＨ９１０に対応し、ＣＳＩ−ＲＳグループ４はＲＲＨ９０４に対応する。
【００６６】
図１０は、本開示のいくつかの態様による、複数のセル／ＴｘＰが各ＣＳＩ−ＲＳグループを形成するＣＳＩ−ＲＳグループを示す図である。ネットワーク１０００では、ＣＳＩ−ＲＳグループは、複数のセルからのアンテナを含めるように構成される。たとえば、図示のように、ＣＳＩ−ＲＳグループ０はマクロｅＮＢ９０２に対応し、ＣＳＩ−ＲＳグループ１はＲＲＨ９０８および９１０のアンテナに対応する。同様に、ＣＳＩ−ＲＳグループ２は、ＲＲＨ９０４および９０６のアンテナに対応する。
【００６７】
本明細書で図示しないいくつかの態様によれば、ＣＳＩ−ＲＳグループ構成は、異なる送信ポイントからのアンテナの部分割当てを含み得る。ＣＳＩ−ＲＳグループはまた、重複方式で構成され得る。たとえば、図１０では、ＲＲＨ９１０は、（図に示されていない）グループ１ＣＳＩ−ＲＳグループとグループ２ＣＳＩ−ＲＳグループの両方の一部であり得る。いくつかの態様では、ＣＳＩ−ＲＳグループ構成は、たとえば、ＣＳＩ−ＲＳポート／パターン構成とともにＵＥに知られされ得る。いくつかの態様によれば、異なるセルにわたって同じスクランブリングＩＤを割り当てることが可能であることは、異なるセルＩＤの場合に有益であり得る。他の態様によれば、ＣＳＩ−ＲＳグループが同じセルＩＤを有する場合でも、異なるスクランブリングＩＤが各ＣＳＩ−ＲＳグループに割り当てられ得る。
【００６８】
いくつかの態様では、たとえば、より正確なＳＩＮＲ測定値を可能にするための意図されたＣｏＭＰ送信構成によれば、重複ＣＳＩ−ＲＳグループは、異なるＲＲＨのために構成され得る。いくつかのＣＳＩ−ＲＳポート上のビームフォーミングは、より正確なレート予測（たとえば、ＣＱＩフィードバック）を可能にするこの構成の一部であり得る。ＵＥは、それのＣＳＩ−ＲＳポートからのチャネルを測定し得、他の重複ＣＳＩ−ＲＳ送信からの送信は干渉することになる。これは、ＵＥがリソース固有ベースでチャネル状態コンディションおよび干渉を測定することを可能にする。そのような場合、ＣＳＩ−ＲＳは、リソース品質指示基準信号（ＲＱＩ−ＲＳ）と見なされ得る。代替的に、別の設計では、ＵＥは、ＣＳＩ−ＲＳグループのいくつかの異なるセットに基づいて報告し得、ｅＮＢは、外挿によって、これらの報告に基づいてレート予測を実行し得る。
【００６９】
いくつかの態様では、ＵＥによるＣＳＩ−ＲＳ報告は、マクロおよびＲＲＨの異なる送信電力レベルを考慮に入れないことがある。ｅＮＢは、特にジョイント送信を実行するときにこれを考慮に入れなければならないことがあり、すなわち、最終ＣＱＩは、ジョイント送信がマクロとＲＲＨの両方から行われる場合にそれに応じて調整される必要があり得る。一態様では、ＣＳＩ−ＲＳグルーピングは、ノード（たとえば、マクロおよびＲＲＨノード、ピコノード、フェムトなど）の電力クラスに従い得る。ノードの電力クラスに従うグルーピングは、それぞれ、報告およびスケジューリングのために、マクロおよびＲＲＨの異なる電力レベルを考慮に入れることを可能にし得る。
【００７０】
ＣＳＩ−ＲＳグループを反映するようにＣＳＩ報告モードを拡張すること
いくつかの態様では、ＣＳＩ−ＲＳグループは、ＵＥのＣＳＩ報告の追加の「次元」と見なされ得る。第１の態様では、報告は、ＣＳＩ報告の他の次元（たとえば、周波数領域サブバンド循環など）から、ＣＳＩ−ＲＳグループ固有の報告を分離し得る。第２の態様では、報告は、これらの異なる次元にわたって一緒に行われ得る。これらの態様の両方についてさらに本明細書で説明する。
【００７１】
上記で説明した第１の態様を参照すると、ＣＳＩ−ＲＳグループ固有の報告は、既存の次元と「混合」されないことがある。ＵＥは、異なるＣＳＩ−ＲＳグループについてのＰＭＩ／ＣＱＩ／ＲＩを別々に報告し得る（すなわち、ＰＭＩ／ＣＱＩ／ＲＩがＣＳＩ−ＲＳグループ内で報告される方法は変わらない）。２つの報告ストラテジについて、第１の態様に関して本明細書で説明する。第１に、ｅＮＢは、ＣＳＩ−ＲＳグループにわたるあらかじめ定義された循環を構成し得る。第２に、ＵＥは、最良ＮGＣＳＩ−ＲＳグループを報告し得る。上記の２つの報告ストラテジのうちのいずれかは、既存のＣＳＩ報告モード、すなわち非周期と周期の両方に組み込まれ得る。
【００７２】
周期報告の場合、循環は、たとえば、現在、帯域幅パートにわたる循環を有する既存のＰＵＣＣＨ２−１報告モードに組み込まれ得る。最良ＮGＣＳＩ−ＲＳグループの選択および報告は、現在のＰＵＣＣＨ２−１またはＰＵＳＣＨ２−２と同様の報告手法に従い得る。非周期報告の場合、複数のＣＳＩ−ＲＳグループからのＣＳＩ報告に適応するために、ペイロードが増加させられ得る。これは、特に、今日比較的ほとんどペイロードを搬送しないモードの場合のオプションであり得る。
【００７３】
第２の代替案、すなわち異なる次元にわたるジョイント報告を参照すると、いくつかの態様は、ＣＳＩ−ＲＳグループをＣＳＩ−ＲＳモードを増補するための別の次元と見なしている。一態様では、ＵＥは、ＣＳＩ−ＲＳグループの選択されたセットから最良Ｍサブバンドを報告し得る。たとえば、ＵＥは、チャネル状態に応じて、第１のＣＳＩ−ＲＳグループのためのサブバンドＳＢ１を報告し、第２のＣＳＩ−ＲＳグループのためのＳＢ２を報告し得る。これは、報告されたＣＳＩ−ＲＳグループを示すために、ＵＥが使用することができるインジケータを追加することによって既存の報告モードに組み込まれ得る。たとえば、このインジケータは、ＣＳＩ−ＲＳグループの無線リソース制御（ＲＲＣ）構成をＣＳＩ−ＲＳ構成にリンクするインデックスまたはビットマップであり得る。
【００７４】
いくつかの態様では、また、ＣＳＩ−ＲＳグループを報告するための何らかのあらかじめ定義された循環パターンを有することが可能である。図１１〜図１２は、異なる循環パターンの例を示す。図はＣＳＩ−ＲＳグループ１、２および３を示し、各ＣＳＩ−ＲＳグループは、４つの帯域幅パートＢＷＰ１、ＢＷＰ２、ＢＷＰ３およびＢＷＰ４を含む。影つき正方形１１０２、１２０２は、報告事例を示す。
【００７５】
図１１の例示的なあらかじめ定義された循環パターンは、最初にＣＳＩ−ＲＳグループのサブセット上で循環し、次いで、第２のステップで帯域幅上で循環する。たとえば、すべてのグループが報告されるまで、ＵＥが、ＣＳＩ−ＲＳグループ１のＢＷＰ１を報告すること、その後ＣＳＩ−ＲＳグループ２のＢＷＰ１を報告することなどを行い、次いで、別のサイクルで、すべてのグループのＢＷＰ２を報告し、以下同様である。
【００７６】
図１２の例示的なあらかじめ定義された循環パターンは、最初にＣＳＩ−ＲＳグループ１のＢＷＰ上で循環し、次いで、他のＣＳＩ−ＲＳグループ２、３および４のＢＷＰ上で循環する。
【００７７】
多くの他の組合せが可能であり得る。一態様では、帯域幅パート以外の周波数グラニュラリティ（たとえば、サブバンドまたは何らかの他のグラニュラリティ）が選定され得る。同様に、ＵＥ選択ベースの報告は、上記のフレームワークに組み込まれ得る。
【００７８】
いくつかの態様では、ＣＳＩ−ＲＳグループごとに（または後で説明する異なるＣＳＩ−ＲＳグループ組合せについて）使用すべきコードブックをユーザにシグナリングすることは、特にコードブック拡張がＬＴＥ  Ｒｅｌ−１１またはそれ以降の一部として定義されている場合に有益であり得る。一態様では、本明細書で説明する概念は、既存の２Ｔｘ、４Ｔｘ、８Ｔｘコードブックに依拠し得る。拡張コードブックまたはセル間フィードバックは、後のリリース（たとえば、Ｒｅｌ−１１およびそれ以後）に導入され得る。そのようなコードブックは、本明細書で説明するＣＳＩ−ＲＳグループ概念を容易に活用し得る。異なるＣＳＩ−ＲＳグループに基づく報告は、暗黙的にまたは明示的に異なるコードブックセットにリンクされ得る。コードブックセットは、既存のＲｅｌ−１０コードブックならびに後のリリースにおいて潜在的に定義される新しいコードブックを包含し得る。
【００７９】
ＣＳＩ−ＲＳグループベースの報告は、干渉推定が暗黙的にＰＭＩ／ＣＱＩ／ＲＩ報告の一部にされ得るという利益を有する（すなわち、干渉推定に関する仮定は、ＣＳＩ−ＲＳグループ構成に関する仮定に合わせて行われ得る）。いくつかの態様によれば、ＣＲＳベースの報告は、潜在的に「仮想」ＣＳＩ−ＲＳグループと見なされ得、ＵＥは、ｅノードＢに追加情報を与えるために、この仮定に合わせてフィードバックを与え得る。
【００８０】
いくつかの態様は、Ｒｅｌ−１０  ｅＩＣＩＣのサブフレーム固有の報告概念に基づくサブフレーム固有のＣＳＩ−ＲＳグループ構成を活用し得る。この概念は、異なるサブフレーム中に異なるＣＳＩ−ＲＳグループ構成を有するように活用され得る。たとえば、サブフレームセット１のためのＣＳＩグルーピング１と、サブフレームセット２のための別の可能なＣＳＩグルーピング２とがあり、場合によっては（現在Ｒｅｌ−１０の一部として定義された）相補セットのための別の定義がある。これはまた、既存の報告概念を活用し得るが、拡張は考慮され得る。これは、ＣＱＩが従来のＨｅｔＮｅｔについて報告される方法と同様に異種ネットワークのために使用され得る。さらに、これは、ＵＥが異なるサブフレーム中で異なる送信ポイントによって（透過的に）サービスされる場合有利であり得る。
【００８１】
いくつかの態様によれば、ｅノードＢは、すべての上記の概念全体にわたって、コードブックサブセット制限と同様に、報告をＣＳＩ−ＲＳグループのサブセットに制限し得る。
【００８２】
いくつかの態様は、複数のＣＳＩ−ＲＳグループが一緒に報告された場合、報告ペイロードを制限し得る。（ＬＴＥ仕様において定義されている）集合Ｓは、すべてのＣＳＩ−ＲＳグループについて同じであり得るが、集合Ｓの構成は、それがサブバンドまたは帯域幅パート上で循環する（および経時的に、したがって、帯域幅全体にわたって循環する）ようになり得る。集合Ｓは、ＣＳＩ−ＲＳグループにわたって異なり得、たとえば、相互に互いと直交するか、または重なり得る。それは、すべてのグループにわたって帯域幅全体をカバーし得る。
【００８３】
いくつかの態様は、差分フィードバック符号化に関係し得る。たとえば、ＣＱＩ（および一般にＣＳＩ情報）は、差分的に符号化され得る。これは、ＣＳＩ−ＲＳグループが重複する場合に特に有用であり、異なるグループについてのＣＳＩ報告の間の相関につながる。この相関は、たとえば、Ｒｅｌ−１０において採用される差分ＣＱＩ符号化と同様の方法で、アップリンクフィードバックオーバーヘッドを低減するために活用され得る。
【００８４】
上記の説明は、既存のＣＳＩ報告フレームワーク（たとえば、Ｒｅｌ−１０  ＣＳＩ報告フレームワーク）へのＣＳＩ−ＲＳグループの導入を考慮している。いくつかの態様では、ＣＳＩ−ＲＳグループは、明示的フィードバック報告をサポートするために使用され得る。たとえば、異なるＣＳＩ−ＲＳグループのＭＩＭＯストリームに関連付けられた支配的固有方向および／または固有値の明示的フィードバックが考慮され得る。一態様では、ＵＥは、異なるＣＳＩ−ＲＳグループを組み合わせることを考慮し、アグリゲートグループ（aggregated groups）の組み合わせられたＣＳＩ−ＲＳポートに基づいてフィードバックを与え得る。たとえば、グループがそれぞれ２つのＣＳＩ−ＲＳポートからなる場合、ＵＥは、２つのアグリゲートグループ（したがって、合計４つのＣＳＩ−ＲＳポート）のフィードバック、または４つのアグリゲートＣＳＩ−ＲＳグループ（合計８つのＣＳＩ−ＲＳポート）のフィードバックを与え得る。フィードバック計算は、ＣＳＩ−ＲＳポートの得られた数のための利用可能なコードブックに基づき得る。
【００８５】
グループのアグリゲーションは、異なる性能を有し得る。ＵＥは、良好な構成を選び、アグリゲーションが使用されるべきであるという指示を与え得る。概念的に、これは、ランクインジケータと同様であり得、「ＣＳＩ−ＲＳグループ選択インジケータ」と呼ばれることがある。
【００８６】
複数のＣＳＩ−ＲＳグループをアグリゲートするときに、これがアグリゲートＣＳＩ−ＲＳ構成の性能に影響を及ぼし得るので、ＵＥは、これらのＣＳＩ−ＲＳグループ間の相対位相に関する仮定を行う必要があり得る。様々な仮定は、ＵＥによって行われ得る。一態様では、ＵＥは、アグリゲーションのために考慮されるＣＳＩ−ＲＳグループ間の位相関係が、ＣＳＩ−ＲＳグループ間で観測される位相関係によって判断されると仮定し得る。別の態様では、特定の位相関係が、ＵＥによって仮定され得る。この関係は、ＣＳＩ−ＲＳ構成またはフィードバック報告構成の一部としてＵＥにシグナリングされ得る。さらに別の態様では、ＵＥは、ＣＳＩ−ＲＳグループ間の異なる位相関係にわたる平均化を実行し得る。追加のシグナリングは、平均化がどのように実行されるべきかについての詳細を与えることによってこの動作をサポートし得る。
【００８７】
ＣＳＩ−ＲＳグループ報告のシグナリングおよびトリガリング
いくつかの態様では、ＣＳＩ−ＲＳグループを構成することの一部として、ＣＳＩ−ＲＳグルーピングは、ＣＳＩ−ＲＳおよびミューティング構成の一部にされ、半静的にシグナリングされ得る。
【００８８】
いくつかの態様では、いくつかのＣＳＩ−ＲＳグループに属するＣＳＩ報告をトリガすることの一部として、ｅＮＢは、どのＣＳＩ−ＲＳグループを報告のために使用すべきかを示す基準を動的にシグナリングし得る（その基準は、たとえば、ＲＲＣベースのＣＳＩ−ＲＳ構成を指すことができる）。報告のための複数のＣＳＩ−ＲＳグループを同時に選択するために、ビットマスクが使用され得る。一態様では、非周期トリガリングは、非周期ＳＲＳがＲｅｌ−１０においてトリガされる方法と同様であり得る。周期報告の場合、ｅノードＢは、ＵＥへのシグナリングを通して、前に説明した報告技法を構成し得る。
【００８９】
いくつかの態様では、ＵＥによって行われたＣＳＩ−ＲＳグループ指示は、前に説明したランクインジケータと同様であり得、シグナリングオーバーヘッドを減らすために使用され得る。たとえば、ｅＮＢは、それがＵＥのＣＳＩ−ＲＳグループ指示に従っているか否かを示す１ビットシグナリングを活用し得る。ｅＮＢがＵＥの提案に従わないことを決定した場合、上述のビットマスクベースのシグナリング（またはその変形形態）が必要とされ得る。
【００９０】
図１３に、本開示のいくつかの態様による、マクロノードと少なくとも１つのリモートラジオヘッド（ＲＲＨ）エンティティとを備えるシステムにおいて、たとえば、送信機によって実行される例示的な動作１３００を示す。動作１３００は、たとえば、ｅＮＢ６１０の（１つまたは複数の）プロセッサ６１６および／または６７５において実行され得る。
【００９１】
動作１３００は、１３０２において、ＵＥ（たとえば、ＵＥ８２０）によるフィードバック報告のための１つまたは複数のＣＳＩ−ＲＳグループを判断することから開始する。たとえば、図９および図１０に関して説明したように、各ＣＳＩ−ＲＳグループは、異なるＴｘＰのアンテナに対応し得るか、または複数のＴｘＰからのアンテナを含むように構成され得る。
【００９２】
１３０４において、１つまたは複数のＣＳＩ−ＲＳグループを識別するインジケータをＵＥに送信する。ＵＥは、ＣＳＩ−ＲＳグループを判断し、１つまたは複数のＣＳＩ−ＲＳグループについてｅＮＢ（たとえばマクロノード８０２）にフィードバックを与えるために受信インジケータを使用し得る。
【００９３】
１３０６において、ＣＳＩ−ＲＳグループのうちの１つまたは複数に対応するＵＥからフィードバック報告をｅＮＢにおいて受信する。上記で説明したように、ＵＥは、最良ＮGＣＳＩ−ＲＳグループを報告することか、またはＣＳＩ−ＲＳグループ上で１つずつ循環することか、または上記の説明に従ってＣＳＩ−ＲＳグループの報告を実行することのいずれかを行い得る。
【００９４】
上記で説明した動作１３００は、図１３の対応する機能を実行することが可能な任意の好適な構成要素または他の手段によって実行され得る。たとえば、図１３に示す動作１３００は、図１３Ａに示す構成要素１３００Ａに対応する。図１３Ａにおいて、ＣＳＩ−ＲＳグループ判断器１３０２Ａは、１つまたは複数のＣＳＩ−ＲＳグループを判断し得る。送信機１３０４Ａは、ＣＳＩ−ＲＳグループを識別するインジケータを送信し得、受信機１３０６Ａは、１つまたは複数のＣＳＩ−ＲＳグループに対応するＵＥ６５０からフィードバック報告を受信し得る。受信したフィードバック報告は、ｅＮＢ６１０におけるプロセッサ６７０中で処理され得る。
【００９５】
図１４に、本開示のいくつかの態様による、マクロノードと少なくとも１つのリモートラジオヘッド（ＲＲＨ）エンティティとを備えるシステムにおいて、たとえば、ＵＥによって実行される例示的な動作１４００を示す。動作１４００は、たとえば、ＵＥ６５０の（１つまたは複数の）プロセッサ６５６および／または６５８において実行され得る。
【００９６】
動作１４００は、１４０２において、ＵＥがフィードバック報告のためにグループ化する１つまたは複数のＣＳＩ−ＲＳグループを判断することから開始する。たとえば、図９および図１０に関して説明したように、各ＣＳＩ−ＲＳグループは、異なるＴｘＰのアンテナに対応し得るか、または複数のＴｘＰからのアンテナを含むように構成され得る。
【００９７】
１４０４において、ＵＥは、ＣＳＩ−ＲＳグループのためのチャネル測定を実行する。たとえば、ＵＥは、１つまたは複数のＣＳＩ−ＲＳグループのＣＳＩ−ＲＳポートからのチャネルを測定し得る。
【００９８】
１４０６において、ＣＳＩ−ＲＳグループのうちの少なくとも１つのチャネル測定値に対応するフィードバック報告をマクロノード（たとえば、マクロノード８０２）に送信する。上記で説明したように、ＵＥは、最良ＮGＣＳＩ−ＲＳグループを報告することか、またはＣＳＩ−ＲＳグループ上で１つずつ循環することか、または上記の説明に従ってＣＳＩ−ＲＳグループの報告を実行することのいずれかを行い得る。
【００９９】
上記で説明した動作１４００は、図１４の対応する機能を実行することが可能な任意の好適な構成要素または他の手段によって実行され得る。たとえば、図１４に示す動作１４００は、図１４Ａに示す構成要素１４００Ａに対応する。図１４Ａにおいて、ＣＳＩ−ＲＳグループ判断器１４０２Ａは、１つまたは複数のＣＳＩ−ＲＳグループを判断し得る。チャネル測定器１４０４Ａは、ＣＳＩ−ＲＳグループのためのチャネルを測定し得る。最後に、トランシーバ（ＴＸ／ＲＸ）１４０６Ａは、ＣＳＩ−ＲＳグループについてのフィードバック報告をｅＮＢ６１０に送信し得る。
【０１００】
図１５は、処理システム１５１０を採用する装置１５００のためのハードウェア実装形態の一例を示す図である。処理システム１５１０は、バス１５３０によって概略的に表されるバスアーキテクチャを用いて実装され得る。バス１５３０は、処理システム１５１０の特定の適用例および全体的な設計制約に応じて、任意の数の相互接続バスおよびブリッジを含み得る。バス１５３０は、プロセッサ１５２４によって表される１つまたは複数のプロセッサおよび／またはハードウェアモジュールと、モジュール１５２０、１５２２と、コンピュータ可読媒体１５２６とを含む様々な回路を互いにリンクする。バス１５３０はまた、タイミングソース、周辺機器、電圧調整器、および電力管理回路など、様々な他の回路をリンクし得るが、これらの回路は当技術分野においてよく知られており、したがって、これ以上説明しない。
【０１０１】
処理システム１５１０はトランシーバ１５４０に結合される。トランシーバ１５４０は、１つまたは複数のアンテナ１５５０に結合される。トランシーバ１５４０は、伝送媒体上で様々な他の装置と通信するための手段を与える。処理システム１５１０は、コンピュータ可読媒体１５２６に結合されたプロセッサ１５２４を含む。プロセッサ１５２４はまた、コンピュータ可読媒体１５２６に記憶されたソフトウェアの実行を含む一般的な処理を担当する。ソフトウェアは、プロセッサ１５２４によって実行されたとき、処理システム１５１０に、任意の特定の装置のための上記で説明した様々な機能を実行させる。コンピュータ可読媒体１５２６はまた、ソフトウェアを実行するときにプロセッサ１５２４によって操作されるデータを記憶するために使用され得る。処理システムは、モジュール１５２０および１５２２をさらに含む。それらのモジュールは、プロセッサ１５２４中で動作するか、コンピュータ可読媒体１５２６中に常駐する／記憶されたソフトウェアモジュールであるか、プロセッサ１５２４に結合された１つまたは複数のハードウェアモジュールであるか、またはそれらの何らかの組合せであり得る。処理システム１５１０は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【０１０２】
地理的に分離されたアンテナのためにコードブック設計を拡張すること
ＬＴＥにおいて定義されているＭＩＭＯコードブックの場合、コードブックが、すべての送信アンテナの信号が同じ（長期）平均電力を用いて受信されることを仮定しているので、コロケートアンテナ（co-located antennas）のみが効率的に対処され得る。上記で説明した態様および方法に加えて、アンテナの複数の別個のグループに対処するコードブックエントリを含み得る拡張コードブックを考慮し得る。これは、Ｒｅｌ−８／９／１０閉ループフィードバックの簡単な拡張である。しかしながら、それは、おそらく、十分な性能のために新しいコードブック設計を必要とし得る。たとえば、「アンテナターンオフ」をもつプリコーダサブセットは、高速セル選択を可能にし得る。
【０１０３】
前に説明した概念に関係するさらに別の態様では、ＵＥは、２つ以上の構成されたＣＳＩ−ＲＳグループについて、独立したＲＩおよびＰＭＩを報告し得る。さらに、ＵＥはまた、どのアンテナグループが追加のサブバンドＣＱＩ情報によって対処されるかを示す明示的インデックスを報告し得る。たとえば、別個のＣＳＩ−ＲＳグループ固有の広帯域ＲＩ／ＰＭＩ／ＣＱＩが使用され得るが、サブバンドＣＱＩは、単に、示されたＣＳＩ−ＲＳグループのためのものであり得る。この手法は、明示的な最良のＣＳＩ−ＲＳグループ選択を用いた最良ｍ報告の拡張として見なされ得、動的ポイント選択に最も好適であり得る。
【０１０４】
いくつかの態様では、潜在的なフィードバック候補送信ポイントアンテナの数は、現在のコードブックのために定義されたアンテナの数を超え得る。これに対処するために、ＵＥは、検出された候補送信ポイントのセットを報告し得、そのセットから、ｅＮＢは、上記で説明した方法のうちの１つを使用して適切な報告セットを選択し得る。
【０１０５】
非周期（Ａ−ＣＳＩ）報告をＣＳＩ−ＲＳリソースに暗黙的にリンクすること
規格のいくつかのバージョン（たとえば、ＬＴＥ  ＲＥＬ−１０）では、非零電力を用いた高々１つのＣＳＩ−ＲＳ構成があるとき、ＣＳＩ−ＲＳ報告に関するあいまいさが、ほとんどまたはまったくないことがある。したがって、ネットワークによって構成または要求されるように、ＵＥは、ＣＳＩ測定のために高々１つのＣＳＩ−ＲＳ構成を採用し、構成されたリソースと整合されたＣＳＩを返報し得る。概して、チャネル品質測定のための高々１つのそのような構成があるとき、どのＣＳＩ−ＲＳ構成を使用すべきかをＵＥにシグナリングする必要がない。
【０１０６】
しかしながら、上記で説明したように、規格（たとえば、ＬＴＥ  ＲＥＬ−１１）の後のバージョンでは、複数の非零電力ＣＳＩ−ＲＳリソース（またはグループ）を構成することが可能であり得る。したがって、これらの複数のＣＳＩ−ＲＳリソースのうちのどれを報告すべきかをＵＥに通知することが必要であり得る。一態様では、そのような報告を要求する明示的シグナリングを許可中に含めることによって、ＵＥが報告すべきである特定の（１つまたは複数の）ＣＳＩ−ＲＳリソースがＵＥに示され得る。しかしながら、これは、そのような明示的シグナリングのために、追加のリソース（たとえばビット）がＵＥ許可中で割り振られる必要があり得るので、さらなるシグナリング影響を含み得る。したがって、シグナリング影響が低減された、ＵＥによるＣＳＩ−ＲＳリソース選択のための技法が望ましい。
【０１０７】
いくつかの態様では、ＵＥがＣＳＩフィードバック報告のためにどのＣＳＩ−ＲＳリソースを選択し得るかをＵＥに明示的にシグナリングする代わりに、ＵＥは、ＵＥがすでに有する何らかの情報、たとえば、どのサブフレームで報告要求が受信されたかに基づいて暗黙的にトリガされ得る。これは、ＵＥ許可中でＣＳＩ−ＲＳリソースをシグナリングするための追加のビットを節約し、それにより、シグナリング影響を回避または低減し得る。
【０１０８】
いくつかの態様では、周期フィードバック報告の場合、各ＣＳＩ−ＲＳリソースは、それの報告事例を有し得る。したがって、問題は存在しないことがある。しかしながら、非周期ＣＳＩ（Ａ−ＣＳＩ）報告の場合、ＵＥは、ＵＥが、明示的シグナリングを受信することによって、または暗黙的にＣＳＩを報告すべきであるＣＳＩ−ＲＳリソースを判断しなければならないことがある。
【０１０９】
いくつかの態様では、非周期ＣＳＩフィードバック報告の場合、動的トリガが、ＵＥによる非周期ＣＳＩ送信を要求する許可を通してＵＥに送られる。ＣＳＩ−ＲＳリソースは、異なるサブフレームに割り当てられ得る。一態様では、許可は、（１つまたは複数の）ＣＳＩ−ＲＳリソースのための参照サブフレームを定義する。ＵＥは、３ＧＰＰ仕様において記載されている手順に沿って判断され得る参照サブフレームに基づいて、１つまたは複数のＣＳＩ−ＲＳリソースについてのＣＳＩを報告し得る。
【０１１０】
第１の態様の場合、ＵＥが単一のＣＳＩ−ＲＳリソースについて報告している場合、ＵＥは、ＣＳＩ参照サブフレームによって搬送されるか、またはＣＳＩ参照サブフレームがＣＳＩ−ＲＳを搬送しない場合に、ＣＳＩ参照サブフレームに先行する最も早いＣＳＩ−ＲＳ搬送サブフレームによって搬送されるＣＳＩ−ＲＳリソースのためのＣＳＩを報告し得る。一態様では、ｅＮＢおよびＵＥは、一般に、ＣＳＩ−ＲＳが送信されるサブフレームを知っている。
【０１１１】
第２の態様の場合、ＵＥが複数のＣＳＩ−ＲＳリソースについて報告している場合、ＵＥは、ＵＥがＣＳＩを報告すべきであるＣＳＩ−ＲＳリソースのセットをシグナリングされ得る。一態様では、ＣＳＩ−ＲＳリソースのセットは、ＲＲＣシグナリングを介して構成され得る。たとえば、ＵＥは、Ｋ個の最新のＣＳＩ−ＲＳリソースを報告し得る。パラメータＫは、ＲＲＣシグナリングを介して構成され得る。Ｋはまた、上記で説明した第１の態様に沿って定義され得る。
【０１１２】
第３の態様の場合、ＵＥは、サブフレームセットに基づいて報告し得る。複数のＡ−ＣＳＩサブフレームセットは、異なるサブフレームセットが、異なるＣＳＩ−ＲＳリソースにマッピングするようにフレキシビリティの増加のためにＲＲＣシグナリングによって構成され得る。この態様では、Ａ−ＣＳＩ要求がサブフレームセットのいくつかのサブフレーム中で送られる場合、ＵＥは、サブフレームセットにマッピングされたＣＳＩ−ＲＳリソース上で報告する。
【０１１３】
たとえば、２つのＡ−ＣＳＩサブフレームセット、すなわちＡ−ＣＳＩ１およびＡ−ＣＳＩ２は、ＲＲＣシグナリングを通して構成され得る。サブフレームセットＡ−ＣＳＩ１は、サブフレーム１、２、３、６、７および８を含み得、ＣＳＩ−ＲＳリソース１にマッピングし得る。同様に、サブフレームセットＡ−ＣＳＩ２は、サブフレーム０、４、５および９を含み得、ＣＳＩ−ＲＳリソース２にマッピングし得る。第３の態様による例示的なＣＳＩ報告の場合、Ａ−ＣＳＩ要求がサブフレーム１、２、３、６、７または８のうちのいずれか１つの上で送られた場合、ＵＥはＣＳＩ−ＲＳリソース１について報告し得、Ａ−ＣＳＩ要求がサブフレーム０、４、５または９のうちのいずれか１つの上で送られた場合、ＵＥはＣＳＩ−ＲＳリソース２について報告し得る。一態様では、サブフレームセットのうちの１つまたは複数のサブフレームが、複数のＣＳＩ−ＲＳリソースにマッピングされ得る。たとえば、サブフレームセットＡ−ＣＳＩ２がサブフレーム０、３、４、５、９を含んでいた場合、サブフレーム３上のＡ−ＣＳＩ要求はＣＳＩ−ＲＳ１とＣＳＩ−ＲＳ２の両方の報告をトリガし得る。
【０１１４】
いくつかの態様では、複数のＣＳＩ−ＲＳリソースは、同じサブフレーム中に存在し得る。インターリソース干渉を回避するために、同じサブフレーム中のＣＳＩ−ＲＳリソースは、異なるＣＳＩ−ＲＳパターンを使用することによって直交性を維持し得る。さらに、異なる周期性は、同じサブフレーム内のＣＳＩ−ＲＳリソースのために構成され得る。このようにして、複数のＣＳＩ−ＲＳリソースは、いくつかのサブフレーム中の同じサブフレーム中でのみ一致し得る。
【０１１５】
たとえば、図１６に、本開示のいくつかの態様による、単一のサブフレーム中の３つのＣＳＩ−ＲＳリソースの例示的な構成１６００を示す。図１６に示すように、ＣＳＩ−ＲＳリソース１は５ｍｓ周期性で構成され、ＣＳＩ−ＲＳリソース２は１０ｍｓ周期性で構成され、ＣＳＩ−ＲＳ３は２０ｍｓの周期性で構成される。したがって、サブフレームは、２０ｍｓごとにのみ、３つのＣＳＩ−ＲＳリソースすべてを有し得る。
【０１１６】
いくつかの態様では、サブフレームが複数のＣＳＩ−ＲＳリソースを有し得る場合のために、暗黙的トリガリングが使用され得る。第１の態様の場合、複数のＣＳＩ−ＲＳリソースが参照サブフレーム中に存在する場合、ＵＥは、それらのすべてを包含するＣＳＩ報告を送り得る。この態様では、非周期報告が、概して、ＵＬデータチャネル上で搬送されるので、ペイロード要件は、Ａ−ＣＳＩ報告の場合大きい問題でないことがある。
【０１１７】
第２の態様の場合、参照サブフレームの第１のＭ個のＣＳＩ−ＲＳリソースのみが報告され得、ＭはＲＲＣシグナリングを介して構成され得る。一態様では、Ｍは、最大のサポート可能なペイロードによって影響を受けるか、またはＵＥ処理に関する制約によって影響を受け得る。
【０１１８】
第３の態様の場合、ＣＳＩ−ＲＳリソースが異なるサブフレームセットに属するように構成された場合、ＵＥは、異なるサブフレームセットの第１のＣＳＩ−ＲＳリソースについて報告し得る。
【０１１９】
第４の態様の場合、どのＣＳＩ−ＲＳリソースが、および／または（たとえば、上記のパラメータＭを介した）いくつのＣＳＩ−ＲＳリソースが参照サブフレームに応じて報告されるべきかを指定するビットマップが、ＲＲＣシグナリングを介してＵＥにシグナリングされ得る。
【０１２０】
図１７は、本開示のいくつかの態様による、ＣＳＩ報告を暗黙的にトリガするために、たとえば、ユーザ機器（ＵＥ）によって実行される例示的な動作１７００を示す図である。動作１７００は、たとえば、ＵＥ６５０の（１つまたは複数の）プロセッサ６５６および／または６５８において実行され得る。
【０１２１】
１７０２において、動作１７００は、（たとえば、ｅＮＢ６１０から）Ａ−ＣＳＩフィードバック報告についての要求を受信することから開始する。上記で説明したように、非周期ＣＳＩフィードバック報告の場合、動的トリガが、ＵＥによる非周期ＣＳＩ送信を要求する許可を通してＵＥにおいて受信され得る。
【０１２２】
１７０４において、要求が受信された時間に少なくとも部分的に基づいて、フィードバック報告のための１つまたは複数の基準ＣＳＩ−ＲＳリソースのセットを判断する。上記で説明したように、非周期ＣＳＩ報告の場合、ＣＳＩ参照リソースは、非周期報告についての要求が受信されたサブフレームに基づいて判断され得る。この判断はまた、非周期ＣＳＩ要求をトリガする許可のタイプなど、他のパラメータに依存し得る。図９および図１０に関して説明したように、各ＣＳＩ−ＲＳリソースは、異なるＴｘＰのアンテナに対応し得るか、または複数のＴｘＰからのアンテナを含むように構成され得る。
【０１２３】
１７０６において、１つまたは複数の基準ＣＳＩ−ＲＳリソースのセットに基づいてフィードバック報告を生成する。上記で説明したように、ＵＥは、ＣＳＩ−ＲＳリソースのＣＳＩ−ＲＳポートからのチャネルを測定し、チャネル測定値に対応するフィードバック報告を生成し得る。
【０１２４】
最後に、１７０８において、生成されたフィードバック報告を、たとえば、ｅＮＢ６１０に送信する。上記で説明したように、ＵＥは、最良ＮGＣＳＩ−ＲＳリソースを報告することか、ＣＳＩ−ＲＳリソース上で１つずつ循環することか、または上記の説明に従ってＣＳＩ−ＲＳリソースの報告を実行することのいずれかを行い得る。
【０１２５】
上記で説明した動作１７００は、図１７の対応する機能を実行することが可能な任意の好適な構成要素または他の手段によって実行され得る。たとえば、図１７に示す動作１７００は、図１７Ａに示す構成要素１７００Ａに対応する。図１７Ａにおいて、受信機１７０２Ａは、Ａ−ＣＳＩフィードバック報告についての要求を受信し得る。基準ＣＳＩ−ＲＳリソース判断器１７０４Ａは、フィードバック報告のための１つまたは複数の基準ＣＳＩ−ＲＳリソースのセットを判断し得る。フィードバック報告生成器１７０６Ａは、フィードバック報告を生成し得る。最後に、送信機１７０８Ａは、生成されたフィードバック報告をｅＮＢ６１０に送信し得る。
【０１２６】
図１８は、本開示のいくつかの態様による、処理システム１８１０を採用する装置１８００のためのハードウェア実装形態の一例を示す図である。処理システム１８１０は、バス１８３０によって概略的に表されるバスアーキテクチャを用いて実装され得る。バス１８３０は、処理システム１８１０の特定の適用例および全体的な設計制約に応じて、任意の数の相互接続バスおよびブリッジを含み得る。バス１８３０は、プロセッサ１８２４によって表される１つまたは複数のプロセッサおよび／またはハードウェアモジュールと、モジュール１８２０、１８２２と、コンピュータ可読媒体１８２６とを含む様々な回路を互いにリンクする。バス１８３０はまた、タイミングソース、周辺機器、電圧調整器、および電力管理回路など、様々な他の回路をリンクし得るが、これらの回路は当技術分野においてよく知られており、したがって、これ以上説明しない。
【０１２７】
処理システム１８１０はトランシーバ１８４０に結合される。トランシーバ１８４０は、１つまたは複数のアンテナ１８５０に結合される。トランシーバ１８４０は、伝送媒体上で様々な他の装置と通信するための手段を与える。処理システム１８１０は、コンピュータ可読媒体１８２６に結合されたプロセッサ１８２４を含む。プロセッサ１８２４はまた、コンピュータ可読媒体１８２６に記憶されたソフトウェアの実行を含む一般的な処理を担当する。ソフトウェアは、プロセッサ１８２４によって実行されたとき、処理システム１８１０に、任意の特定の装置のための上記で説明した様々な機能を実行させる。コンピュータ可読媒体１８２６はまた、ソフトウェアを実行するときにプロセッサ１８２４によって操作されるデータを記憶するために使用され得る。処理システムは、モジュール１８２０および１８２２をさらに含む。それらのモジュールは、プロセッサ１８２４中で動作するか、コンピュータ可読媒体１８２６中に常駐する／記憶されたソフトウェアモジュールであるか、プロセッサ１８２４に結合された１つまたは複数のハードウェアモジュールであるか、またはそれらの何らかの組合せであり得る。処理システム１８１０は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１２８】
図１９に、本開示のいくつかの態様による、たとえば、基地局によって実行される例示的な動作１９００を示す。動作１９００は、たとえば、ｅＮＢ６１０の（１つまたは複数の）プロセッサ６１６および／または６７５において実行され得る。
【０１２９】
１９０２において、動作１９００は、ＣＳＩフィードバック報告要求のタイミングに少なくとも部分的に基づいて、ＣＳＩ−ＲＳリソースをその要求と相関させるマップを判断することから開始する。上記で説明したように、非周期ＣＳＩ報告の場合、ＣＳＩ参照リソースは、非周期報告についての要求が送られるサブフレームに基づいて判断され得る。ｅＮＢは、概して、ＣＳＩ−ＲＳリソースを、ＣＳＩフィードバック報告要求が送られるサブフレームと相関させるマップを記憶する。
【０１３０】
１９０４において、フィードバック報告のための１つまたは複数の基準ＣＳＩ−ＲＳリソースのセットを判断する。図９および図１０に関して説明したように、各ＣＳＩ−ＲＳリソースは、異なるＴｘＰのアンテナに対応し得るか、または複数のＴｘＰからのアンテナを含むように構成され得る。
【０１３１】
１９０６において、ある時間への１つまたは複数の基準ＣＳＩ−ＲＳリソースのセットのマッピングに少なくとも部分的に基づいて、その時間にＣＳＩフィードバック報告についての要求を送信する。たとえば、ｅＮＢは、ステップ１９０４において判断されたＣＳＩ−ＲＳリソースのセットにマッピングされたサブフレーム中で要求を送信し得る。
【０１３２】
最後に、１９０８において、１つまたは複数の基準ＣＳＩ−ＲＳリソースのセットに基づいてフィードバック報告を受信する。上記で説明したように、ＵＥは、ＣＳＩ−ＲＳリソースのＣＳＩ−ＲＳポートからのチャネルを測定し、チャネル測定値に対応するフィードバック報告を生成し得る。
【０１３３】
上記で説明した動作１９００は、図１９の対応する機能を実行することが可能な任意の好適な構成要素または他の手段によって実行され得る。たとえば、図１９に示す動作１９００は、図１９Ａに示す構成要素１９００Ａに対応する。図１９Ａにおいて、マップ判断器１９０２Ａは、ＣＳＩ−ＲＳリソースをＣＳＩフィードバック報告要求と相関させるマップを判断し得る。ＣＳＩ−ＲＳリソース判断器１９０４Ａは、フィードバック報告のための１つまたは複数の基準ＣＳＩ−ＲＳリソースのセットを判断し得る。送信機１９０６Ａは、ＣＳＩフィードバック報告についての要求を、たとえば、ＵＥ６５０に送信し得、受信機１９０８Ａは、１つまたは複数の基準ＣＳＩ−ＲＳリソースのセットに基づいて、ＵＥ６５０からフィードバック報告を受信し得る。受信したフィードバック報告は、ｅＮＢ６１０におけるプロセッサ６７０中で処理され得る。
【０１３４】
図２０は、本開示のいくつかの態様による、処理システム２０１０を採用する装置２０００のためのハードウェア実装形態の一例を示す図である。処理システム２０１０は、バス２０３０によって概略的に表されるバスアーキテクチャを用いて実装され得る。バス２０３０は、処理システム２０１０の特定の適用例および全体的な設計制約に応じて、任意の数の相互接続バスおよびブリッジを含み得る。バス２０３０は、プロセッサ２０２４によって表される１つまたは複数のプロセッサおよび／またはハードウェアモジュールと、モジュール２０２０、２０２２と、コンピュータ可読媒体２０２６とを含む様々な回路を互いにリンクする。バス２０３０はまた、タイミングソース、周辺機器、電圧調整器、および電力管理回路など、様々な他の回路をリンクし得るが、これらの回路は当技術分野においてよく知られており、したがって、これ以上説明しない。
【０１３５】
処理システム２０１０はトランシーバ２０４０に結合される。トランシーバ２０４０は、１つまたは複数のアンテナ２０５０に結合される。トランシーバ２０４０は、伝送媒体上で様々な他の装置と通信するための手段を与える。処理システム２０１０は、コンピュータ可読媒体２０２６に結合されたプロセッサ２０２４を含む。プロセッサ２０２４はまた、コンピュータ可読媒体２０２６に記憶されたソフトウェアの実行を含む一般的な処理を担当する。ソフトウェアは、プロセッサ２０２４によって実行されたとき、処理システム２０１０に、任意の特定の装置のための上記で説明した様々な機能を実行させる。コンピュータ可読媒体２０２６はまた、ソフトウェアを実行するときにプロセッサ２０２４によって操作されるデータを記憶するために使用され得る。処理システムは、モジュール２０２０および２０２２をさらに含む。それらのモジュールは、プロセッサ２０２４中で動作するか、コンピュータ可読媒体２０２６中に常駐する／記憶されたソフトウェアモジュールであるか、プロセッサ２０２４に結合された１つまたは複数のハードウェアモジュールであるか、またはそれらの何らかの組合せであり得る。処理システム２０１０は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【０１３６】
開示したプロセスにおけるステップの特定の順序または階層は、例示的な手法の一例であることを理解されたい。設計上の選好に基づいて、プロセス中のステップの特定の順序または階層は再構成され得ることを理解されたい。添付の方法クレームは、様々なステップの要素を例示的な順序で提示したものであり、提示された特定の順序または階層に限定されるものではない。
【０１３７】
以上の説明は、本明細書で説明された様々な態様を、当業者が実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
以下に、本願出願の当初の特許請求の範囲に記載された発明を付記する。
［Ｃ１］  ユーザ機器（ＵＥ）によるワイヤレス通信のための方法であって、前記方法が、
チャネル状態情報（ＣＳＩ）フィードバック報告についての要求を受信することと、
前記要求が受信された時間に少なくとも部分的に基づいて、フィードバック報告のための１つまたは複数の基準ＣＳＩ基準信号（ＣＳＩ−ＲＳ）リソースのセットを判断することと、
１つまたは複数の基準ＣＳＩ−ＲＳリソースの前記セットに基づいて前記フィードバック報告を生成することと、
前記フィードバック報告を送信することとを備える、方法。
［Ｃ２］  前記判断は、前記要求が受信された第１のサブフレームに少なくとも部分的に基づく、Ｃ１に記載の方法。
［Ｃ３］  １つまたは複数の基準ＣＳＩ−ＲＳリソースの前記セットは、
第２のサブフレーム中で送信されるＣＳＩ−ＲＳリソースであって、前記第２のサブフレームは、前記要求が受信された前記第１のサブフレームに少なくとも部分的に依存するマッピングに基づいて判断される、ＣＳＩ−ＲＳリソースを備える、Ｃ２に記載の方法。
［Ｃ４］  １つまたは複数の基準ＣＳＩ−ＲＳリソースの前記セットは、
第３のサブフレーム中で送信されるＣＳＩ−ＲＳリソースであって、前記第２のサブフレームがＣＳＩ−ＲＳリソースを含んでいない場合、前記第３のサブフレームが前記第２のサブフレームに先行する、ＣＳＩ−ＲＳリソースを備える、Ｃ３に記載の方法。
［Ｃ５］  前記第３のサブフレームが、少なくとも１つのＣＳＩ−ＲＳリソースを搬送する前記第２のサブフレームに先行する前記第１のサブフレームである、Ｃ４に記載の方法。
［Ｃ６］  １つまたは複数の基準ＣＳＩ−ＲＳリソースの前記セットが所定の数のＣＳＩ−ＲＳリソースを備え、前記所定の数が前記ＵＥにシグナリングされる、Ｃ１に記載の方法。
［Ｃ７］  ＣＳＩ−ＲＳリソースがサブフレームセットとの１対１の関連付けを有し、
１つまたは複数の基準ＣＳＩ−ＲＳリソースの前記セットがＣＳＩ−ＲＳリソースを備え、前記ＣＳＩ−ＲＳリソースのサブフレームセットは、前記要求が受信された前記サブフレームを含んでいる、Ｃ１に記載の方法。
［Ｃ８］  前記サブフレームセットを示すビットマップを含むシグナリングを受信することをさらに備える、Ｃ７に記載の方法。
［Ｃ９］  １つまたは複数の基準ＣＳＩ−ＲＳリソースの前記セットが、単一のサブフレーム中に含まれている複数のＣＳＩリソースを備える、Ｃ１に記載の方法。
［Ｃ１０］  前記フィードバック報告が、前記１つのサブフレーム中に含まれているすべてに満たないＣＳＩ−ＲＳリソースを有するＣＳＩ−ＲＳリソースサブセットに基づく、Ｃ９に記載の方法。
［Ｃ１１］  前記ＣＳＩ−ＲＳリソースサブセットを示すシグナリングを受信することをさらに備える、Ｃ１０に記載の方法。
［Ｃ１２］  チャネル状態情報（ＣＳＩ）フィードバック報告についての要求を受信するように構成された受信機と、
前記要求が受信された時間に少なくとも部分的に基づいて、フィードバック報告のための１つまたは複数の基準ＣＳＩ基準信号（ＣＳＩ−ＲＳ）リソースのセットを判断することと、
１つまたは複数の基準ＣＳＩ−ＲＳリソースの前記セットに基づいて前記フィードバック報告を生成することとを行うように構成された少なくとも１つのプロセッサと、
前記フィードバック報告を送信するように構成された送信機とを備える、ワイヤレス通信のための装置。
［Ｃ１３］  前記判断は、前記要求が受信された第１のサブフレームに少なくとも部分的に基づく、Ｃ１２に記載の装置。
［Ｃ１４］  １つまたは複数の基準ＣＳＩ−ＲＳリソースの前記セットは、
第２のサブフレーム中で送信されるＣＳＩ−ＲＳリソースであって、前記第２のサブフレームは、前記要求が受信された前記第１のサブフレームに少なくとも部分的に依存するマッピングに基づいて判断される、ＣＳＩ−ＲＳリソースを備える、Ｃ１３に記載の装置。
［Ｃ１５］  １つまたは複数の基準ＣＳＩ−ＲＳリソースの前記セットは、
第３のサブフレーム中で送信されるＣＳＩ−ＲＳリソースであって、前記第２のサブフレームがＣＳＩ−ＲＳリソースを含んでいない場合、前記第３のサブフレームが前記第２のサブフレームに先行する、ＣＳＩ−ＲＳリソースを備える、Ｃ１４に記載の装置。
［Ｃ１６］  前記第３のサブフレームが、少なくとも１つのＣＳＩ−ＲＳリソースを搬送する前記第２のサブフレームに先行する前記第１のサブフレームである、Ｃ１５に記載の装置。
［Ｃ１７］  １つまたは複数の基準ＣＳＩ−ＲＳリソースの前記セットが所定の数のＣＳＩ−ＲＳリソースを備え、前記所定の数が前記ＵＥにシグナリングされる、Ｃ１２に記載の装置。
［Ｃ１８］  ＣＳＩ−ＲＳリソースがサブフレームセットとの１対１の関連付けを有し、
１つまたは複数の基準ＣＳＩ−ＲＳリソースの前記セットがＣＳＩ−ＲＳリソースを備え、前記ＣＳＩ−ＲＳリソースのサブフレームセットは、前記要求が受信された前記サブフレームを含んでいる、Ｃ１２に記載の装置。
［Ｃ１９］  前記受信機が、前記サブフレームセットを示すビットマップを含むシグナリングを受信するようにさらに構成された、Ｃ１８に記載の装置。
［Ｃ２０］  １つまたは複数の基準ＣＳＩ−ＲＳリソースの前記セットが、単一のサブフレーム中に含まれている複数のＣＳＩリソースを備える、Ｃ１２に記載の装置。
［Ｃ２１］  前記フィードバック報告が、前記１つのサブフレーム中に含まれているすべてに満たないＣＳＩ−ＲＳリソースを有するＣＳＩ−ＲＳリソースサブセットに基づく、Ｃ２０に記載の装置。
［Ｃ２２］  前記受信機が、前記ＣＳＩ−ＲＳリソースサブセットを示すシグナリングを受信するようにさらに構成された、Ｃ２１に記載の装置。
［Ｃ２３］  チャネル状態情報（ＣＳＩ）フィードバック報告についての要求を受信するための手段と、
前記要求が受信された時間に少なくとも部分的に基づいて、フィードバック報告のための１つまたは複数の基準ＣＳＩ基準信号（ＣＳＩ−ＲＳ）リソースのセットを判断するための手段と、
１つまたは複数の基準ＣＳＩ−ＲＳリソースの前記セットに基づいて前記フィードバック報告を生成するための手段と、
前記フィードバック報告を送信するための手段とを備える、ワイヤレス通信のための装置。
［Ｃ２４］  前記判断は、前記要求が受信された第１のサブフレームに少なくとも部分的に基づく、Ｃ２３に記載の装置。
［Ｃ２５］  １つまたは複数の基準ＣＳＩ−ＲＳリソースの前記セットは、
第２のサブフレーム中で送信されるＣＳＩ−ＲＳリソースであって、前記第２のサブフレームは、前記要求が受信された前記第１のサブフレームに少なくとも部分的に依存するマッピングに基づいて判断される、ＣＳＩ−ＲＳリソースを備える、Ｃ２４に記載の装置。
［Ｃ２６］  １つまたは複数の基準ＣＳＩ−ＲＳリソースの前記セットは、
第３のサブフレーム中で送信されるＣＳＩ−ＲＳリソースであって、前記第２のサブフレームがＣＳＩ−ＲＳリソースを含んでいない場合、前記第３のサブフレームが前記第２のサブフレームに先行する、ＣＳＩ−ＲＳリソースを備える、Ｃ２５に記載の装置。
［Ｃ２７］  前記第３のサブフレームが、少なくとも１つのＣＳＩ−ＲＳリソースを搬送する前記第２のサブフレームに先行する前記第１のサブフレームである、Ｃ２６に記載の装置。
［Ｃ２８］  チャネル状態情報（ＣＳＩ）フィードバック報告についての要求を受信することと、
前記要求が受信された時間に少なくとも部分的に基づいて、フィードバック報告のための１つまたは複数の基準ＣＳＩ基準信号（ＣＳＩ−ＲＳ）リソースのセットを判断することと、
１つまたは複数の基準ＣＳＩ−ＲＳリソースの前記セットに基づいて前記フィードバック報告を生成することと、
前記フィードバック報告を送信することとを行うためのコードを備えるコンピュータ可読媒体を備える、ワイヤレス通信のためのコンピュータプログラム製品。
［Ｃ２９］  基地局（ＢＳ）によるワイヤレス通信のための方法であって、前記方法が、
チャネル状態情報（ＣＳＩ）フィードバック報告要求のタイミングに少なくとも部分的に基づいて、ＣＳＩ基準信号（ＣＳＩ−ＲＳ）リソースを前記要求と相関させるマップを判断することと、
フィードバック報告のための１つまたは複数の基準ＣＳＩ−ＲＳリソースのセットを判断することと、
ある時間への１つまたは複数の基準ＣＳＩ−ＲＳリソースの前記セットのマッピングに少なくとも部分的に基づいて、前記時間にＣＳＩフィードバック報告についての要求を送信することと、
１つまたは複数の基準ＣＳＩ−ＲＳリソースの前記セットに基づいてフィードバック報告を受信することとを備える、方法。
［Ｃ３０］  １つまたは複数の基準ＣＳＩ−ＲＳリソースの前記セットが所定の数のＣＳＩ−ＲＳリソースを備え、前記所定の数がＵＥにシグナリングされる、Ｃ２９に記載の方法。
［Ｃ３１］  ＣＳＩ−ＲＳリソースがサブフレームセットとの１対１の関連付けを有し、
１つまたは複数の基準ＣＳＩ−ＲＳリソースの前記セットがＣＳＩ−ＲＳリソースを備え、前記ＣＳＩ−ＲＳリソースのサブフレームセットは、前記要求が送られるサブフレームを含んでいる、Ｃ２９に記載の方法。
［Ｃ３２］  前記サブフレームセットを示すビットマップを含むシグナリングを送信することをさらに備える、Ｃ３１に記載の方法。
［Ｃ３３］  １つまたは複数の基準ＣＳＩ−ＲＳリソースの前記セットが、単一のサブフレーム中に含まれている複数のＣＳＩリソースを備える、Ｃ２９に記載の方法。
［Ｃ３４］  前記フィードバック報告が、前記１つのサブフレーム中に含まれているすべてに満たないＣＳＩ−ＲＳリソースを有するＣＳＩ−ＲＳリソースサブセットに基づく、Ｃ３３に記載の方法。
［Ｃ３５］  前記ＣＳＩ−ＲＳリソースサブセットを示すシグナリングを送信することをさらに備える、Ｃ３４に記載の方法。
［Ｃ３６］  チャネル状態情報（ＣＳＩ）フィードバック報告要求のタイミングに少なくとも部分的に基づいて、ＣＳＩ基準信号（ＣＳＩ−ＲＳ）リソースを前記要求と相関させるマップを判断することと、
フィードバック報告のための１つまたは複数の基準ＣＳＩ−ＲＳリソースのセットを判断することとを行うように構成された少なくとも１つのプロセッサと、
ある時間への１つまたは複数の基準ＣＳＩ−ＲＳリソースの前記セットのマッピングに少なくとも部分的に基づいて、前記時間にＣＳＩフィードバック報告についての要求を送信するように構成された送信機と、
１つまたは複数の基準ＣＳＩ−ＲＳリソースの前記セットに基づいてフィードバック報告を受信するように構成された受信機とを備える、ワイヤレス通信のための装置。
［Ｃ３７］  １つまたは複数の基準ＣＳＩ−ＲＳリソースの前記セットが所定の数のＣＳＩ−ＲＳリソースを備え、前記所定の数がＵＥにシグナリングされる、Ｃ３６に記載の装置。
［Ｃ３８］  ＣＳＩ−ＲＳリソースがサブフレームセットとの１対１の関連付けを有し、
１つまたは複数の基準ＣＳＩ−ＲＳリソースの前記セットがＣＳＩ−ＲＳリソースを備え、前記ＣＳＩ−ＲＳリソースのサブフレームセットは、前記要求が送られるサブフレームを含んでいる、Ｃ３６に記載の装置。
［Ｃ３９］  前記サブフレームセットを示すビットマップを含むシグナリングを送信することをさらに備える、Ｃ３８に記載の装置。
［Ｃ４０］  １つまたは複数の基準ＣＳＩ−ＲＳリソースの前記セットが、単一のサブフレーム中に含まれている複数のＣＳＩリソースを備える、Ｃ３６に記載の装置。
［Ｃ４１］  前記フィードバック報告が、前記１つのサブフレーム中に含まれているすべてに満たないＣＳＩ−ＲＳリソースを有するＣＳＩ−ＲＳリソースサブセットに基づく、Ｃ４０に記載の装置。
［Ｃ４２］  前記ＣＳＩ−ＲＳリソースサブセットを示すシグナリングを送信することをさらに備える、Ｃ４１に記載の装置。
［Ｃ４３］  チャネル状態情報（ＣＳＩ）フィードバック報告要求のタイミングに少なくとも部分的に基づいて、ＣＳＩ基準信号（ＣＳＩ−ＲＳ）リソースを前記要求と相関させるマップを判断するための手段と、
フィードバック報告のための１つまたは複数の基準ＣＳＩ−ＲＳリソースのセットを判断するための手段と、
ある時間への１つまたは複数の基準ＣＳＩ−ＲＳリソースの前記セットのマッピングに少なくとも部分的に基づいて、前記時間にＣＳＩフィードバック報告についての要求を送信するための手段と、
１つまたは複数の基準ＣＳＩ−ＲＳリソースの前記セットに基づいてフィードバック報告を受信するための手段とを備える、ワイヤレス通信のための装置。
［Ｃ４４］  １つまたは複数の基準ＣＳＩ−ＲＳリソースの前記セットが所定の数のＣＳＩ−ＲＳリソースを備え、前記所定の数がＵＥにシグナリングされる、Ｃ４３に記載の装置。
［Ｃ４５］  ＣＳＩ−ＲＳリソースがサブフレームセットとの１対１の関連付けを有し、
１つまたは複数の基準ＣＳＩ−ＲＳリソースの前記セットがＣＳＩ−ＲＳリソースを備え、前記ＣＳＩ−ＲＳリソースのサブフレームセットは、前記要求が送られるサブフレームを含んでいる、Ｃ４３に記載の装置。
［Ｃ４６］  前記サブフレームセットを示すビットマップを含むシグナリングを送信するための手段をさらに備える、Ｃ４５に記載の装置。
［Ｃ４７］  １つまたは複数の基準ＣＳＩ−ＲＳリソースの前記セットが、単一のサブフレーム中に含まれている複数のＣＳＩリソースを備える、Ｃ４３に記載の装置。
［Ｃ４８］  前記フィードバック報告が、前記１つのサブフレーム中に含まれているすべてに満たないＣＳＩ−ＲＳリソースを有するＣＳＩ−ＲＳリソースサブセットに基づく、Ｃ４７に記載の装置。
［Ｃ４９］  前記ＣＳＩ−ＲＳリソースサブセットを示すシグナリングを送信するための手段をさらに備える、Ｃ４８に記載の装置。
［Ｃ５０］  チャネル状態情報（ＣＳＩ）フィードバック報告要求のタイミングに少なくとも部分的に基づいて、ＣＳＩ基準信号（ＣＳＩ−ＲＳ）リソースを前記要求と相関させるマップを判断することと、
フィードバック報告のための１つまたは複数の基準ＣＳＩ−ＲＳリソースのセットを判断することと、
ある時間への１つまたは複数の基準ＣＳＩ−ＲＳリソースの前記セットのマッピングに少なくとも部分的に基づいて、前記時間にＣＳＩフィードバック報告についての要求を送信することと、
１つまたは複数の基準ＣＳＩ−ＲＳリソースの前記セットに基づいてフィードバック報告を受信することとを行うためのコードを備えるコンピュータ可読媒体を備える、ワイヤレス通信のためのコンピュータプログラム製品。
【図１】
0005763219.tif 000002
【図２】
0005763219.tif 000003
【図３】
0005763219.tif 000004
【図４】
0005763219.tif 000005
【図５】
0005763219.tif 000006
【図６】
0005763219.tif 000007
【図７】
0005763219.tif 000008
【図８】
0005763219.tif 000009
【図９】
0005763219.tif 000010
【図１０】
0005763219.tif 000011
【図１１】
0005763219.tif 000012
【図１２】
0005763219.tif 000013
【図１３】
0005763219.tif 000014
【図１３Ａ】
0005763219.tif 000015
【図１４】
0005763219.tif 000016
【図１４Ａ】
0005763219.tif 000017
【図１５】
0005763219.tif 000018
【図１６】
0005763219.tif 000019
【図１７】
0005763219.tif 000020
【図１７Ａ】
0005763219.tif 000021
【図１８】
0005763219.tif 000022
【図１９】
0005763219.tif 000023
【図１９Ａ】
0005763219.tif 000024
【図２０】
0005763219.tif 000025